(57)【要約】      （修正有）【課題】  所望の区間のデータ削除の操作の簡易化。【解決手段】記録されているデータについての第１のポイントと第２のポイントを任意に入力することのできる指定操作手段と、入力された第１のポイントと第２のポイントにより削除区間を設定する区間設定手段と、設定された削除区間のデータが削除されるように管理情報の更新動作を実行することができる管理情報更新手段と、を備え、第２のポイントの入力のために、ポイント指定操作と、指定変更操作と、決定操作が可能とされ、区間設定手段は、第２のポイントについてのポイント指定操作が行なわれたら、その第２のポイントを基準とした再生時間軸上で、第１のポイントから第２のポイントまでの間に再生されるべき全部もしくは一部のデータが記録されている１又は複数の区間とされる所定区間のリハーサル再生を実行させる。またリハーサル再生中に指定変更操作も可能とする。【選択図】図１
2005339788.tif 000002
【特許請求の範囲】
【請求項１】
時間的に連続するデータが記録されると共に、該データの記録／再生動作を管理するための管理情報が記録される記録媒体に対して、少なくとも管理情報更新処理を実行可能な編集装置として、
記録されているデータについての第１のポイントと第２のポイントを任意に入力することのできる指定操作手段と、
前記指定操作手段の操作によって入力された第１のポイントと第２のポイントにより削除区間を設定する区間設定手段と、
前記区間設定手段によって設定された削除区間のデータが削除されるように管理情報の更新動作を実行することができる管理情報更新手段と、を備え、
前記指定操作手段は第２のポイントの入力のために、ポイント指定操作と、指定変更操作と、決定操作が可能とされており、
前記区間設定手段は、
前記指定操作手段により第２のポイントについてのポイント指定操作が行なわれたら、その第２のポイントを基準とした再生時間軸上で、第１のポイントから第２のポイントまでの間に再生されるべき全部もしくは一部のデータが記録されている１又は複数の区間とされる所定区間のデータを繰り返し再生出力させるリハーサル再生を実行させ、またリハーサル再生中に指定変更操作が行なわれたら、その指定変更操作に応じた第２のポイントの変更及びその変更された第２のポイントを基準とした所定区間のデータを繰り返し再生出力させるリハーサル再生を実行させることができるとともに、前記指定操作手段により決定操作が行なわれた時点で、それまでのポイント指定操作もしくは指定変更操作で指定されているポイントを第２のポイントの入力値として決定すること
を特徴とする編集装置。
【請求項２】
データ領域に記録されたデータに関する管理情報が記録された記録媒体に記録されたデータを編集する編集装置において、
前記データ領域に記録されているデータの任意の２つのポイントを指定する操作手段と、
前記操作手段にて第１のポイントが指定された際に該第１のポイントに基づく所定区間再生すると共に、前記操作手段にて第１のポイントが指定された後に前記操作手段にて指定された前記第２のポイントまでの所定区間を再生を行う再生制御手段と、
前記操作手段にて指定された任意の２つのポイントに挟まれる区間を削除するように前記管理情報を更新して再記録する管理情報更新手段とを備えたこと
を特徴とする編集装置。
【請求項３】
データ領域に記録されたデータに関する管理情報が記録された記録媒体に記録されたデータを編集する編集装置において、
前記データ領域に記録されているデータの任意の２つのポイントを指定する操作手段と、
前記操作手段にて第１のポイントが指定された際に該第１のポイントまでの所定区間若しくは前記第１のポイントからの所定区間を再生すると共に、前記操作手段にて第１のポイントが指定された後に第２のポイントが指定された際に前記第１のポイントと前記第２のポイントで挟まれる削除対象区間の再生を行う再生制御手段と、
前記操作手段にて指定された任意の２つのポイントに挟まれる区間を削除するように前記管理情報を更新して再記録する管理情報更新手段と、
を備えることを特徴とする編集装置。
【請求項４】
データ領域に記録されたデータに関する管理情報が記録された記録媒体に記録されたデータを編集する編集装置において、
前記データ領域に記録されているデータの任意の２つのポイントを指定する操作手段と、
前記操作手段にて第１のポイントが指定された際に該第１のポイントまでの所定区間若しくは前記第１のポイントからの所定区間を再生すると共に、前記操作手段にて第１のポイントが指定された後に第２のポイントが指定された際に前記第１のポイントと前記第２のポイントで挟まれる削除対象区間の最初の所定区間と最後の所定区間の再生を行う再生制御手段と、
前記操作手段にて指定された任意の２つのポイントに挟まれる区間を削除するように前記管理情報を更新して再記録する管理情報更新手段と、
を備えることを特徴とする編集装置。
【発明の詳細な説明】
【技術分野】
【０００１】
本発明は、時間的に連続するデータが記録されると共に、データの記録／再生動作を管理するための管理情報が記録される光磁気ディスク等の記録媒体に対して、その管理情報を更新することにより記録されているデータの編集を行う編集装置に関するものである。
【背景技術】
【０００２】
各種記録媒体及びそれらに対応する記録再生装置が開発されているが、特に近年ミニディスクシステムとして知られているように、ユーザーが自由に音楽データ等を記録できるものも普及している。
【０００３】
例えばこのミニディスクシステムの場合は、ディスク上でユーザーが録音を行なった領域（データ記録済領域）や、まだ何も録音されていない領域（データ記録可能な未記録領域；以下、フリーエリアという）を管理するために、音楽等の主データとは別に、ユーザーＴＯＣ（以下、Ｕ−ＴＯＣという）という管理情報が記録されている。そして記録装置はこのＵ−ＴＯＣを参照しながら録音を行なう領域を判別し、また再生装置はＵ−ＴＯＣを参照して再生すべき領域を判別している。
【０００４】
つまり、Ｕ−ＴＯＣには録音された各楽曲等がトラックというデータ単位で管理され、そのスタートアドレス、エンドアドレス等が記される。また何も録音されていないフリーエリアについては今後のデータ記録に用いることのできる領域として、そのスタートアドレス、エンドアドレス等が記される。
【０００５】
さらに、このようなＵ−ＴＯＣによりディスク上の領域が管理されることで、Ｕ−ＴＯＣを更新するのみで、音楽等の記録データの編集ができる。
例えば１つのトラックを複数のトラックに分割するディバイド機能、複数のトラックを１つのトラックに連結するコンバイン機能、再生するトラック順序に応じて与えられているトラックナンバを変更させるムーブ機能、不要なトラックを削除するデリート機能（イレーズ機能ともいう）などの編集処理が容易でしかも迅速に実行できることになる。
そして、ユーザはこのような機能を活用して、一旦ディスクに記録した１又は複数のトラックの編集を行い、個人のオリジナルディスクを作成して楽しむことができるようになる。
【発明の開示】
【発明が解決しようとする課題】
【０００６】
ところが、従来における編集処理としては基本的にトラック単位で行なわれるものであるため、実用上不便な点があった。
例えばラジオ放送を録音した場合に、音楽の前後のナレーションやコマーシャルの音声も一緒に録音されてしまい、その部分だけを削除したいような場合がある。また、例えば或る曲が、イントロ−１番−２番−３番−エンディングという構成であったときに、３番をカットして、イントロ−１番−２番−エンディングという曲に編集したいような場合もある。
つまり曲（即ちトラック）の一部分のみカットしたような場合が多々あるが、このときは編集操作が煩雑になる。
【０００７】
図３９でトラックの一部を削除したい場合の操作手順を示す。
図３９（ａ）のようにトラックＴＫ１，ＴＫ２，ＴＫ３の３曲が録音されているディスクを考える。なお、この図はディスクのデータ記録領域を半径方向に取り出して帯状に示したイメージ図である。ＴＫ１，ＴＫ２，ＴＫ３・・・・・・はそれぞれ各トラックに再生順に与えられているトラックナンバに相当する。
このときユーザーが図３９（ｂ）に斜線を付したトラックＴＫ２の一部分を削除したいと思ったとする。
【０００８】
この場合、まず図３９（ｃ）のように、削除したい区間の始まりのポイントでデバイド編集を行なって、トラックＴＫ２をトラックＴＫ２，ＴＫ３の２つにわける。このとき、それまでのトラックＴＫ３は繰り下がってトラックＴＫ４として管理される。
【０００９】
次に図３９（ｄ）のように、削除したい区間の終のポイントでデバイド編集を行ない、トラックＴＫ３をトラックＴＫ３，ＴＫ４の２つにわける。それまでのトラックＴＫ４は繰り下がってトラックＴＫ５として管理される。
この時点で削除したい区間のみがトラックＴＫ３として管理されていることになるため、図３９（ｅ）のようにトラックＴＫ３に対してデリート編集を行ない、トラックＴＫ３の部分がフリーエリアとして管理されるようにする。これで図３９（ｂ）の斜線区間は消去されたことになる。これに伴ってそれまでのトラックＴＫ４，ＴＫ５は繰り上がってトラックＴＫ３，ＴＫ４として管理される。
【００１０】
次に、図３９（ｆ）のように、トラックＴＫ２とトラックＴＫ３のコンバイン編集を行なう。つまり図３９（ｅ）の時点のトラックＴＫ２とトラックＴＫ３をそれぞれトラックＴＫ２を構成するパーツＴＫ２-1，ＴＫ２-2とし、トラックＴＫ２の再生時には下部に再生動作ＰＢTK2 として示すように、パーツＴＫ２-1，ＴＫ２-2が連続して再生されるような管理状態とする。
【００１１】
この時点で初めて最初の目的の通りの編集、つまり図３９においてトラックＴＫ２のうちで斜線部分のみをカットするという編集が完了したことになる。
そして以上の説明から分かるように、このような編集のための操作は非常に煩雑な操作になってしまう。
【課題を解決するための手段】
【００１２】
本発明はこのような問題点を考慮して、トラックの一部を削除したいような場合に、簡易な操作で、しかもユーザーの望むとおりの正確な編集を実行できるようにすることで編集機能の充実を図ることを目的とする。
【００１３】
このため、時間的に連続するデータが記録されると共に、該データの記録／再生動作を管理するための管理情報が記録される記録媒体に対して、少なくとも管理情報更新処理を実行可能な編集装置として、記録されているデータについての第１のポイントと第２のポイントを任意に入力することのできる指定操作手段と、前記指定操作手段の操作によって入力された第１のポイントと第２のポイントにより削除区間を設定する区間設定手段と、前記区間設定手段によって設定された削除区間のデータが削除されるように管理情報の更新動作を実行することができる管理情報更新手段と、を備え、前記指定操作手段は第２のポイントの入力のために、ポイント指定操作と、指定変更操作と、決定操作が可能とされており、前記区間設定手段は、前記指定操作手段により第２のポイントについてのポイント指定操作が行なわれたら、その第２のポイントを基準とした再生時間軸上で、第１のポイントから第２のポイントまでの間に再生されるべき全部もしくは一部のデータが記録されている１又は複数の区間とされる所定区間のデータを繰り返し再生出力させるリハーサル再生を実行させ、またリハーサル再生中に指定変更操作が行なわれたら、その指定変更操作に応じた第２のポイントの変更及びその変更された第２のポイントを基準とした所定区間のデータを繰り返し再生出力させるリハーサル再生を実行させることができるとともに、前記指定操作手段により決定操作が行なわれた時点で、それまでのポイント指定操作もしくは指定変更操作で指定されているポイントを第２のポイントの入力値として決定するようにする。
【００１４】
さらに、データ領域に記録されたデータに関する管理情報が記録された記録媒体に記録されたデータを編集する編集装置において、前記データ領域に記録されているデータの任意の２つのポイントを指定する操作手段と、前記操作手段にて第１のポイントが指定された際に該第１のポイントに基づく所定区間再生すると共に、前記操作手段にて第１のポイントが指定された後に前記操作手段にて指定された前記第２のポイントまでの所定区間を再生を行う再生制御手段と、前記操作手段にて指定された任意の２つのポイントに挟まれる区間を削除するように前記管理情報を更新して再記録する管理情報更新手段とを備える。
【００１５】
また、データ領域に記録されたデータに関する管理情報が記録された記録媒体に記録されたデータを編集する編集装置において、前記データ領域に記録されているデータの任意の２つのポイントを指定する操作手段と、前記操作手段にて第１のポイントが指定された際に該第１のポイントまでの所定区間若しくは前記第１のポイントからの所定区間を再生すると共に、前記操作手段にて第１のポイントが指定された後に第２のポイントが指定された際に前記第１のポイントと前記第２のポイントで挟まれる削除対象区間の再生を行う再生制御手段と、前記操作手段にて指定された任意の２つのポイントに挟まれる区間を削除するように前記管理情報を更新して再記録する管理情報更新手段とを備える。
【００１６】
さらに、データ領域に記録されたデータに関する管理情報が記録された記録媒体に記録されたデータを編集する編集装置において、前記データ領域に記録されているデータの任意の２つのポイントを指定する操作手段と、前記操作手段にて第１のポイントが指定された際に該第１のポイントまでの所定区間若しくは前記第１のポイントからの所定区間を再生すると共に、前記操作手段にて第１のポイントが指定された後に第２のポイントが指定された際に前記第１のポイントと前記第２のポイントで挟まれる削除対象区間の最初の所定区間と最後の所定区間の再生を行う再生制御手段と、前記操作手段にて指定された任意の２つのポイントに挟まれる区間を削除するように前記管理情報を更新して再記録する管理情報更新手段とを備える。
【発明の効果】
【００１７】
以上説明したように本発明の編集装置は、時間的に連続するデータについての第１のポイントと第２のポイントを任意に入力することのできる指定操作手段と、この指定操作手段の操作によって入力された第１のポイントと第２のポイントにより削除区間を設定する区間設定手段と、区間設定手段によって設定された削除区間のデータが削除されるように管理情報の更新動作を実行することができる管理情報更新手段とを備えているようにしたため、ユーザーは削除したい区間に応じて第１のポイントと第２のポイントを指定すれば、その第１のポイントと第２のポイントに規定される区間、例えば再生時間軸上で第１のポイントのデータ再生時点と第２のポイントのデータ再生時点との間において再生されるべきデータが記録されている１又は複数の区間が削除される。従って不要な部分を削除する編集動作が非常に簡易な操作で実現できるようになるという効果がある。
【００１８】
さらに第１のポイントもしくは第２のポイントについてのポイント指定操作が行なわれたら、そのポイントを基準とした所定区間のデータを繰り返し再生出力させるリハーサル再生を実行させることで、削除しようとする区間をユーザーに提示でき、間違った削除を防止できる。
【００１９】
またリハーサル再生中に指定変更操作が行なわれたら、その指定変更操作に応じたポイントの変更及びその変更されたポイントを基準とした所定区間のデータを繰り返し再生出力させるリハーサル再生を実行させ、決定操作が行なわれた時点で、それまでのポイント指定操作もしくは指定変更操作で指定されているポイントを第１のポイントもしくは第２のポイントの入力値として決定するようにするため、ユーザーはリハーサル再生出力を確認しながら削除すべき区間を調整していくことができる。つまり簡易な動作と分かり易い削除ポイント提示が行なわれ、これによって簡易かつ正確な削除編集が可能となる。
【発明を実施するための最良の形態】
【００２０】
以下、本発明の編集操作の実施の形態について説明する。
この実施の形態としての例は光磁気ディスク（ミニディスク）を記録媒体として用い、編集装置としての機能を備えた記録再生装置とする。
説明は次の順序で行なう。
＜１．記録再生装置の構成＞
＜２．クラスタフォーマット＞
＜３．Ｕ−ＴＯＣセクター＞
＜４．Ｕ−ＴＯＣによる管理例＞
＜５．区間デリート処理＞
＜６．区間デリート処理におけるリハーサル機能＞
＜７．リハーサル動作を伴う区間デリート処理＞
（ａ．区間デリート動作例1）
（ｂ．区間デリート動作例2）
（ｃ．区間デリート動作例3）
（ｄ．区間デリート動作例4）
（ｅ．区間デリート動作例5）
（ｆ．区間デリート動作例6）
（ｇ．区間デリート動作例7）
（ｈ．区間デリート動作例8）
＜８．他の区間デリート処理例＞
【００２１】
＜１．記録再生装置の構成＞
まず図１、図２によりミニディスク記録再生装置の構成について説明する。
図１は記録再生装置の外観例を示すものである。
この記録再生装置の前面パネルには液晶表示装置等による表示部２０が形成されている。この表示部２０には記録／再生しているディスクの動作状態、トラックナンバ、記録時間／再生時間、編集動作状態、再生モード等が示される。さらにミニディスクシステムではディスクに文字情報が記録できるが、その文字情報の入力の際の入力文字の表示や、ディスクから読み出した文字情報の表示などが実行される。
【００２２】
電源キー３３は記録再生装置の電源オン／オフの操作のために設けられる。
また前面パネルには記録再生装置にディスクを挿入し、またイジェクトキー３４の操作に応じてディスクが脱却されるディスク挿入部２２が設けらる。
【００２３】
またこの前面パネルには記録／再生に関する操作のための各種操作手段が設けられる。すなわち、再生キー２４、一時停止キー２３、停止キー２５、録音キー２６、頭だしアクセス動作を実行させるＡＭＳ操作ダイヤル２７（以下、ジョグダイヤルという）、高速再生動作を実行させるサーチキー２８などが設けられる。これらはいわゆる音声の記録／再生動作に関する基本的な操作キーとなる。
ジョグダイヤル２７は、その回転操作により、ＡＭＳ（頭だしサーチ）を指示する操作部となるが、エディット（編集）モードの１つである文字入力モード（ディスクネーム入力モードもしくはトラックネーム入力モード）においては、ジョグダイヤル２７の回転操作が、文字選択のためのインクリメント／デクリメント操作となる。
【００２４】
また特に本例の場合、区間デリートという機能がエディットモードの１つとして用意されるものであるが、この区間デリートモードにおいては、ジョグダイヤル２７の回転操作が、区間デリート処理の始点ポイント、終点ポイントの指定操作の際における、ポイント調整操作に用いられる。詳細は後述する。
【００２５】
また、ジョグダイヤル２７は押圧操作可能とされ、この押圧操作はディスクネーム入力モード、トラックネーム入力モード、プログラム設定モード、マルチアクセス設定モードなどにおけるエンター操作として機能する。さらにジョグダイヤル２６は押圧操作は、再生キー２４の操作と同様に再生操作を兼ねるようにしてもよい。また、ジョグダイヤル２７は押圧操作が、区間デリートモードにおける始点ポイント、終点ポイントの指定操作についてのエンター操作として機能するようにしてもよい。
【００２６】
これらの操作手段とともに、数字キー３９が設けられる。
この数字キー３９は例えば『１』キーから『２５』キー、及び２６以上の数字を入力するための『＞２５』キーが設けられる。
数字キー３９は、再生させるトラックナンバをダイレクトに選択する場合や、プログラム再生モード、マルチアクセス再生モードでのトラックナンバ選択などに用いることができる。
【００２７】
エディットモードの操作のためのキーとしてエディットキー２９、イエスキー３０、キャンセルキー３１が設けられる。
エディットキー２９は各種エディットモードの呼出し及び終了の操作のために用いられ、またイエスキー３０、キャンセルキー３１がエディット中の操作に用いられる。例えばイエスキー３０はエンター操作として、またキャンセルキー３１は取消操作として用いられる。
【００２８】
エディットモードとしては、各トラックに対して曲名などの文字を入力するトラックネーム入力モード、ディスクに対して名称などの文字を入力するディスクネーム入力モード、登録されている文字情報を消去するネームイレーズモード、１つのトラックを複数のトラックに分割するディバイドモード、複数のトラックを１つのトラックに連結するコンバインモード、トラックを消去するイレーズモードなどがある。
【００２９】
そして本例の場合さらに区間デリートモードが用意される。また区間デリートモードにおける始点ポイント、終点ポイントの指定操作に用いるための区間デリートポイント指定キー３９（以下、『指定キー』という）が設けられる。
なお、本例ではポイントの指定操作をこの指定キー３９で行なうようにして説明するが、例えばイエスキー３０に指定キー３９の機能を兼用させ、イエスキー３０の１回目の操作が指定操作、２回目の操作がエンター操作として機能させるようにすることも考えられる。もちろん、他のキー又は操作部に指定キー３９の機能を持たせてもよい。
【００３０】
再生モードの操作のためのキーとして連続再生キー３５、プログラムキー３６、シャッフルキー３７、マルチアクセスキー３８が設けられる。
これらのキーを操作することで、再生モードが、連続再生モード、プログラム再生モード、シャッフル再生モード、マルチアクセス再生モードのいずれかが設定される。
【００３１】
なお本例では説明上これらの操作手段を記録再生装置の前面パネルに配するようにしているが、例えば記録再生装置を赤外線などによるリモートコマンダーにより操作可能とし、そのリモートコマンダー上にこれらの操作手段を設けるようにしてもよい。
【００３２】
図１のようなミニディスク記録再生装置の内部構成を図２で説明する。
音声データが記録されている光磁気ディスク１は、スピンドルモータ２により回転駆動される。そして光磁気ディスク１に対しては記録／再生時に光学ヘッド３によってレーザ光が照射される。
【００３３】
光学ヘッド３は、記録時には記録トラックをキュリー温度まで加熱するための高レベルのレーザ出力を行ない、また再生時には磁気カー効果により反射光からデータを検出するための比較的低レベルのレーザ出力を行なう。
このため、光学ヘッド３にはレーザ出力手段としてのレーザダイオード、偏光ビームスプリッタや対物レンズ等からなる光学系、及び反射光を検出するためのディテクタが搭載されている。対物レンズ３ａは２軸機構４によってディスク半径方向及びディスクに接離する方向に変位可能に保持されている。
【００３４】
また、ディスク１を挟んで光学ヘッド３と対向する位置に磁気ヘッド６ａが配置されている。磁気ヘッド６ａは供給されたデータによって変調された磁界を光磁気ディスク１に印加する動作を行なう。
光学ヘッド３全体及び磁気ヘッド６ａは、スレッド機構５によりディスク半径方向に移動可能とされている。
【００３５】
再生動作によって、光学ヘッド３によりディスク１から検出された情報はＲＦアンプ７に供給される。ＲＦアンプ７は供給された情報の演算処理により、再生ＲＦ信号、トラッキングエラー信号ＴＥ、フォーカスエラー信号ＦＥ、グルーブ情報（光磁気ディスク１にプリグルーブ（ウォブリンググルーブ）として記録されている絶対位置情報）ＧＦＭ等を抽出する。
抽出された再生ＲＦ信号はエンコーダ／デコーダ部８に供給される。また、トラッキングエラー信号ＴＥ、フォーカスエラー信号ＦＥはサーボ回路９に供給され、グルーブ情報ＧＦＭはアドレスデコーダ１０に供給される。
【００３６】
サーボ回路９は供給されたトラッキングエラー信号ＴＥ、フォーカスエラー信号ＦＥや、マイクロコンピュータにより構成されるシステムコントローラ１１からのトラックジャンプ指令、アクセス指令、スピンドルモータ２の回転速度検出情報等により各種サーボ駆動信号を発生させ、２軸機構４及びスレッド機構５を制御してフォーカス及びトラッキング制御を行ない、またスピンドルモータ２を一定線速度（ＣＬＶ）に制御する。
【００３７】
アドレスデコーダ１０は供給されたグルーブ情報ＧＦＭをデコードしてアドレス情報を抽出する。このアドレス情報はシステムコントローラ１１に供給され、各種の制御動作に用いられる。
また再生ＲＦ信号についてはエンコーダ／デコーダ部８においてＥＦＭ復調、ＣＩＲＣ等のデコード処理が行なわれるが、このときアドレス、サブコードデータなども抽出され、システムコントローラ１１に供給される。
【００３８】
エンコーダ／デコーダ部８でＥＦＭ復調、ＣＩＲＣ等のデコード処理された音声データ（セクターデータ）は、メモリコントローラ１２によって一旦バッファメモリ１３に書き込まれる。なお、光学ヘッド３によるディスク１からのデータの読み取り及び光学ヘッド３からバッファメモリ１３までの系における再生データの転送は1.41Mbit/secで、しかも通常は間欠的に行なわれる。
【００３９】
バッファメモリ１３に書き込まれたデータは、再生データの転送が0.3Mbit/sec となるタイミングで読み出され、エンコーダ／デコーダ部１４に供給される。そして、音声圧縮処理に対するデコード処理等の再生信号処理を施され、４４．１ＫＨZ サンプリング、１６ビット量子化のデジタルオーディオ信号とされる。  このデジタルオーディオ信号は例えばデジタル信号処理回路２１でイコライジング、リバーブ、ゲインなどの調整処理が行われた後、Ｄ／Ａ変換器１５によってアナログ信号とされ、出力端子１６から所定の増幅回路部へ供給されて再生出力される。例えばＬ，Ｒアナログオーディオ信号として出力される。
【００４０】
デジタル信号処理回路は、いわゆるＤＳＰ（デジタルシグナルプロセッサ）などで形成され、各種の多様な処理を行うことができる。例えば各種モードの音響設定でのイコライジング処理だけでなく、徐々にゲイン（出力音量レベル）を変化させることでフェードイン、フェードアウトなどの処理等も可能である。
なお、このような処理部をＤ／Ａ変換器１５の後段に設け、アナログ処理により行うようにしてもよい。
【００４１】
光磁気ディスク１に対して記録動作が実行される際には、入力端子１７に供給された記録信号（アナログオーディオ信号）は、Ａ／Ｄ変換器１８によってデジタルデータとされた後、エンコーダ／デコーダ部１４に供給され、音声圧縮エンコード処理を施される。
なお図示していないがデジタルインターフェース部を設けてデジタルオーディオデータの入出力を行なうことももちろん可能である。
【００４２】
エンコーダ／デコーダ部１４によって圧縮された記録データはメモリコントローラ１２によって一旦バッファメモリ１３に書き込まれ、また所定タイミングで読み出されてエンコーダ／デコーダ部８に送られる。そしてエンコーダ／デコーダ部８でＣＩＲＣエンコード、ＥＦＭ変調等のエンコード処理された後、磁気ヘッド駆動回路６に供給される。
【００４３】
磁気ヘッド駆動回路６はエンコード処理された記録データに応じて、磁気ヘッド６ａに磁気ヘッド駆動信号を供給する。つまり、光磁気ディスク１に対して磁気ヘッド６ａによるＮ又はＳの磁界印加を実行させる。また、このときシステムコントローラ１１は光学ヘッドに対して、記録レベルのレーザ光を出力するように制御信号を供給する。
【００４４】
操作部１９はユーザー操作に供される部位を示し、これは図１で説明したような各種操作キーやダイヤルに相当する。これらの操作キーやダイヤルによる操作情報はシステムコントローラ１１に供給され、システムコントローラ１１は操作情報に応じた動作制御を実行することになる。
また表示部２０は図１のように筺体上に設けられるもので、この表示動作はシステムコントローラ１１によって制御される。
【００４５】
システムコントローラ１１は、ＣＰＵ、プログラムＲＯＭ、ワークＲＡＭ、インターフェース部等を備えたマイクロコンピュータとされるが、図示するワークＲＡＭ１１ａは、本例の区間デリートモードの動作においては、始点ポイント、終点ポイントの指定操作が行なわれた際の、そのポイント（指定位置）のアドレスの保持に用いられる。
【００４６】
ところで、ディスク１に対して記録／再生動作を行なう際には、ディスク１に記録されている管理情報、即ちＰ−ＴＯＣ（プリマスタードＴＯＣ）、Ｕ−ＴＯＣ（ユーザーＴＯＣ）を読み出す必要がある。システムコントローラ１１はこれらの管理情報に応じてディスク１上の記録すべきエリアのアドレスや、再生すべきエリアのアドレスを判別することとなる。
この管理情報はバッファメモリ１３に保持される。
そして、システムコントローラ１１はこれらの管理情報を、ディスク１が装填された際に管理情報の記録されたディスクの最内周側の再生動作を実行させることによって読み出し、バッファメモリ１３に記憶しておき、以後そのディスク１に対する記録／再生／編集動作の際に参照できるようにしている。
【００４７】
また、Ｕ−ＴＯＣはデータの記録や各種編集処理に応じて書き換えられるものであるが、システムコントローラ１１は記録／編集動作のたびに、Ｕ−ＴＯＣ更新処理をバッファメモリ１３に記憶されたＵ−ＴＯＣ情報に対して行ない、その書換動作に応じて所定のタイミングでディスク１のＵ−ＴＯＣエリアについても書き換えるようにしている。
【００４８】
＜２．クラスタフォーマット＞
ここで、クラスタという単位について説明する。
ミニディスクシステムにおける記録動作の単位となるクラスタのフォーマットは図３に示される。
ミニディスクシステムでの記録トラックとしては図３のようにクラスタＣＬが連続して形成されており、１クラスタが記録時の最小単位とされる。１クラスタは２〜３周回トラック分に相当する。
【００４９】
そして１クラスタＣＬは、セクターＳFC〜ＳFFとされる４セクターのリンキング領域と、セクターＳ00〜Ｓ1Fとして示す３２セクターのメインデータ領域から形成されている。
１セクターは２３５２バイトで形成されるデータ単位である。
セクターＳFC〜ＳFFの４セクターはサブデータの記録やリンキングエリアとしてなどに用いられ、ＴＯＣデータ、オーディオデータ等の記録は３２セクターのメインデータ領域に行なわれる。
なお、アドレスは１セクター毎に記録される。
【００５０】
また、セクターはさらにサウンドグループという単位に細分化され、２セクターが１１サウンドグループに分けられている。
つまり図示するように、セクターＳ00などの偶数セクターと、セクターＳ01などの奇数セクターの連続する２つのセクターに、サウンドグループＳＧ00〜ＳＧ0Aが含まれる状態となっている。１つのサウンドグループは４２４バイトで形成されており、11.61msec の時間に相当する音声データ量となる。
１つのサウンドグループＳＧ内にはデータがＬチャンネルとＲチャンネルに分けられて記録される。例えばサウンドグループＳＧ00はＬチャンネルデータＬ０とＲチャンネルデータＲ０で構成され、またサウンドグループＳＧ01はＬチャンネルデータＬ１とＲチャンネルデータＲ１で構成される。
なお、Ｌチャンネル又はＲチャンネルのデータ領域となる２１２バイトをサウンドフレームとよんでいる。
【００５１】
＜３．Ｕ−ＴＯＣセクター＞
上記したように、ディスク１に対して記録／再生動作を行なう際には、システムコントローラ１１は、ディスク１に記録されている管理情報としてＰ−ＴＯＣ、Ｕ−ＴＯＣ（ユーザーＴＯＣ）を読み出し、これを参照することになる。
ここで、ディスク１においてトラック（楽曲等）の記録／再生動作などの管理を行なう管理情報として、Ｕ−ＴＯＣセクターについて説明する。
【００５２】
なおＴＯＣ情報としてはＵ−ＴＯＣとＰ−ＴＯＣが設けられているが、このＰ−ＴＯＣはディスク１の最内周側のピットエリアに形成されるもので、読出専用の情報である。そして、Ｐ−ＴＯＣによってディスクの記録可能エリア（レコーダブルユーザーエリア）や、リードアウトエリア、Ｕ−ＴＯＣエリアなどの位置の管理等が行なわれる。なお、ミニディスクシステムでは、全てのデータがピット形態で記録されている再生専用の光ディスクも使用できるが、再生専用ディスクの場合は、Ｐ−ＴＯＣによってＲＯＭ化されて記録されている楽曲の管理も行なうことができるようにされ、Ｕ−ＴＯＣは形成されない。
Ｐ−ＴＯＣについては詳細な説明を省略し、ここでは記録可能な光磁気ディスクに設けられるＵ−ＴＯＣについて説明する。
【００５３】
図４はＵ−ＴＯＣセクター０のフォーマットを示すものである。
なお、Ｕ−ＴＯＣセクターとしてはセクター０〜セクター７まで設けることができ、後述するようにセクター１，セクター４は文字情報、セクター２は録音日時を記録するエリアとされる。
まず最初に、ディスク１の記録／再生動作に必ず必要となるＵ−ＴＯＣセクター０について説明する。
【００５４】
Ｕ−ＴＯＣセクター０は、主にユーザーが録音を行なった楽曲や新たに楽曲が録音可能なフリーエリアについての管理情報が記録されているデータ領域とされる。
例えばディスク１に或る楽曲の録音を行なおうとする際には、システムコントローラ１１は、Ｕ−ＴＯＣセクター０からディスク上のフリーエリアを探し出し、ここに音声データを記録していくことになる。また、再生時には再生すべき楽曲が記録されているエリアをＵ−ＴＯＣセクター０から判別し、そのエリアにアクセスして再生動作を行なう。
【００５５】
Ｕ−ＴＯＣセクター０のデータ領域（４バイト×588 の２３５２バイト）は、先頭位置にオール０又はオール１の１バイトデータが並んで形成される同期パターンが記録される。
続いてクラスタアドレス(Cluster H) (Cluster L) 及びセクターアドレス(Sector)となるアドレスや、モード情報(MODE)が４バイト付加され、以上でヘッダとされる。
【００５６】
セクターとは、上述のように２３５２バイトのデータ単位であり、３６セクターが１クラスタとなる。同期パターンやアドレスについては、このＵ−ＴＯＣセクター０に限らず、Ｐ−ＴＯＣセクターや、実際に音声データが記録されるデータセクターでも、そのセクター単位に記録されている。
クラスタアドレスは、上位アドレス(Cluster H) と下位アドレス(Cluster L) の２バイトで記され、セクターアドレス(Sector)は１バイトで記される。
続いて所定バイト位置に、メーカーコード、モデルコード、最初のトラックのトラックナンバ(First TNO）、最後のトラックのトラックナンバ（Last TNO）、セクター使用状況(Used sectors)、ディスクシリアルナンバ、ディスクＩＤ等のデータが記録される。
【００５７】
さらに、ユーザーが録音を行なって記録されているトラック（楽曲等）の領域やフリーエリア等を後述する管理テーブル部に対応させることによって識別するため、対応テーブル指示データ部として各種のテーブルポインタ(P-DFA，P-EMPTY ，P-FRA ，P-TNO1〜P-TNO255) が記録される領域が用意されている。
【００５８】
そしてテーブルポインタ(P-DFA〜P-TNO255) に対応させることになる管理テーブル部として(01h) 〜(FFh) までの２５５個のパーツテーブルが設けられ、それぞれのパーツテーブルには、或るパーツについて起点となるスタートアドレス、終端となるエンドアドレス、そのパーツのモード情報（トラックモード）が記録されている。さらに各パーツテーブルで示されるパーツが他のパーツへ続いて連結される場合があるため、その連結されるパーツのスタートアドレス及びエンドアドレスが記録されているパーツテーブルを示すリンク情報が記録できるようにされている。
なお本明細書において『ｈ』を付した数値はいわゆる１６進表記のものである。また、パーツとは１つのトラック内で時間的に連続したデータが物理的に連続して記録されているトラック部分のことをいう。
【００５９】
この種の記録再生装置では、１つの楽曲のデータを物理的に不連続に、即ち複数のパーツにわたって記録されていてもパーツ間でアクセスしながら再生していくことにより再生動作に支障はないため、ユーザーが録音する楽曲等については、録音可能エリアの効率使用等の目的から、複数パーツにわけて記録する場合もある。
【００６０】
そのため、リンク情報が設けられ、例えば各パーツテーブルに与えられたナンバ(01h) 〜(FFh) によって、連結すべきパーツテーブルを指定することによってパーツテーブルが連結できるようになされている。
つまりＵ−ＴＯＣセクター０における管理テーブル部においては、１つのパーツテーブルは１つのパーツを表現しており、例えば３つのパーツが連結されて構成される楽曲についてはリンク情報によって連結される３つのパーツテーブルによって、そのパーツ位置の管理はなされる。
なお、実際にはリンク情報は所定の演算処理によりＵ−ＴＯＣセクター０内のバイトポジションとされる数値で示される。即ち、３０４＋（リンク情報）×８（バイト目）としてパーツテーブルを指定する。
【００６１】
Ｕ−ＴＯＣセクター０の管理テーブル部における(01h) 〜(FFh) までの各パーツテーブルは、対応テーブル指示データ部におけるテーブルポインタ(P-DFA，P-EMPTY ，P-FRA ，P-TNO1〜P-TNO255) によって、以下のようにそのパーツの内容が示される。
【００６２】
テーブルポインタP-DFA は光磁気ディスク１上の欠陥領域に付いて示しており、傷などによる欠陥領域となるトラック部分（＝パーツ）が示された１つのパーツテーブル又は複数のパーツテーブル内の先頭のパーツテーブルを指定している。つまり、欠陥パーツが存在する場合はテーブルポインタP-DFA において(01h) 〜(FFh) のいづれかが記録されており、それに相当するパーツテーブルには、欠陥パーツがスタート及びエンドアドレスによって示されている。また、他にも欠陥パーツが存在する場合は、そのパーツテーブルにおけるリンク情報として他のパーツテーブルが指定され、そのパーツテーブルにも欠陥パーツが示されている。そして、さらに他の欠陥パーツがない場合はリンク情報は例えば『(00h) 』とされ、以降リンクなしとされる。
【００６３】
テーブルポインタP-EMPTY は管理テーブル部における１又は複数の未使用のパーツテーブルの先頭のパーツテーブルを示すものであり、未使用のパーツテーブルが存在する場合は、テーブルポインタP-EMPTY として、(01h) 〜(FFh) のうちのいづれかが記録される。未使用のパーツテーブルが複数存在する場合は、テーブルポインタP-EMPTY によって指定されたパーツテーブルからリンク情報によって順次パーツテーブルが指定されていき、全ての未使用のパーツテーブルが管理テーブル部上で連結される。
【００６４】
テーブルポインタP-FRA は光磁気ディスク１上のデータの書込可能なフリーエリア（消去領域を含む）について示しており、フリーエリアとなるトラック部分（＝パーツ）が示された１又は複数のパーツテーブル内の先頭のパーツテーブルを指定している。つまり、フリーエリアが存在する場合はテーブルポインタP-FRA において(01h) 〜(FFh) のいづれかが記録されており、それに相当するパーツテーブルには、フリーエリアであるパーツがスタート及びエンドアドレスによって示されている。また、このようなパーツが複数個有り、つまりパーツテーブルが複数個有る場合はリンク情報により、リンク情報が『(00h) 』となるパーツテーブルまで順次指定されている。
【００６５】
図５にパーツテーブルにより、フリーエリアとなるパーツの管理状態を模式的に示す。これはパーツ(03h)(18h)(1Fh)(2Bh)(E3h) がフリーエリアとされている時に、この状態がテーブルポインタP-FRA に引き続きパーツテーブル(03h)(18h)(1Fh)(2Bh)(E3h) のリンクによって表現されている状態を示している。なお上記した欠陥領域や未使用パーツテーブルの管理形態もこれと同様となる。
【００６６】
ところで、全く楽曲等の音声データの記録がなされておらず欠陥もない光磁気ディスクであれば、テーブルポインタP-FRA によってパーツテーブル(01h) が指定され、これによってディスクのレコーダブルユーザーエリアの全体がフリーエリアであることが示される。そして、この場合残る(02h) 〜(FFh) のパーツテーブルは使用されていないことになるため、上記したテーブルポインタP-EMPTY によってパーツテーブル(02h) が指定され、また、パーツテーブル(02h) のリンク情報としてパーツテーブル(03h) が指定され・・・・・・、というようにパーツテーブル(FFh) まで連結される。この場合パーツテーブル(FFh) のリンク情報は以降連結なしを示す『(00h) 』とされる。
なお、このときパーツテーブル(01h) については、スタートアドレスとしてはレコーダブルユーザーエリアのスタートアドレスが記録され、またエンドアドレスとしてはリードアウトスタートアドレスの直前のアドレスが記録されることになる。
【００６７】
テーブルポインタP-TNO1〜P-TNO255は、光磁気ディスク１にユーザーが記録を行なった楽曲などのトラックについて示しており、例えばテーブルポインタP-TNO1では第１トラックのデータが記録された１又は複数のパーツのうちの時間的に先頭となるパーツが示されたパーツテーブルを指定している。
例えば第１トラックとされた楽曲がディスク上でトラックが分断されずに、つまり１つのパーツで記録されている場合は、その第１トラックの記録領域はテーブルポインタP-TNO1で示されるパーツテーブルにおけるスタート及びエンドアドレスとして記録されている。
【００６８】
また、例えば第２トラックとされた楽曲がディスク上で複数のパーツに離散的に記録されている場合は、その第２トラックの記録位置を示すため各パーツが時間的な順序に従って指定される。つまり、テーブルポインタP-TNO2に指定されたパーツテーブルから、さらにリンク情報によって他のパーツテーブルが順次時間的な順序に従って指定されて、リンク情報が『(00h) 』となるパーツテーブルまで連結される（上記、図５と同様の形態）。
このように例えば２曲目を構成するデータが記録された全パーツが順次指定されて記録されていることにより、このＵ−ＴＯＣセクター０のデータを用いて、２曲目の再生時や、その２曲目の領域への上書き記録を行なう際に、光学ヘッド３及び磁気ヘッド６をアクセスさせ離散的なパーツから連続的な音楽情報を取り出したり、記録エリアを効率使用した記録が可能になる。
【００６９】
以上のように、書換可能な光磁気ディスク１については、ディスク上のエリア管理はＰ−ＴＯＣによってなされ、またレコーダブルユーザーエリアにおいて記録された楽曲やフリーエリア等はＵ−ＴＯＣにより行なわれる。
【００７０】
次に、図６にＵ−ＴＯＣセクター１のフォーマットを示す。このセクター１は録音された各トラックにトラックネームをつけたり、ディスクタイトルをつける場合に、入力された文字情報を記録するデータ領域とされる。
【００７１】
このＵ−ＴＯＣセクター１には、記録された各トラックに相当する文字スロット指示データ部としてスロットポインタP-TNA1〜P-TNA255が用意され、またこのスロットポインタP-TNA1〜P-TNA255によって指定される文字スロット部が１単位８バイトで２５５単位のスロット(01h) 〜(FFh) として用意されており、上述したＵ−ＴＯＣセクター０とほぼ同様の形態で文字データを管理する。
【００７２】
スロット(01h) 〜(FFh) にはディスクタイトルやトラックネームとしての文字情報がアスキーコードで記録される。なお、スロット(01h) の前の８バイトはディスクネームの専用エリアとされている。
そして、例えばスロットポインタP-TNA1によって指定されるスロットには第１トラックに対応してユーザーが入力した文字が記録されていることになる。また、スロットがリンク情報によりリンクされることで、１つのトラックに対応する文字入力は７バイト（７文字）より大きくなっても対応できる。
なお、このＵ−ＴＯＣセクター１でもスロットポインタP-EMPTY は使用していないパーツテーブルを管理するものである。
【００７３】
次に、図７はＵ−ＴＯＣセクター２のフォーマットを示しており、このセクター２は、主にユーザーが録音を行なった楽曲の録音日時を記録するデータ領域とされる。
【００７４】
このＵ−ＴＯＣセクター２には、記録された各楽曲に相当する日時スロット指示データ部としてスロットポインタP-TRD1〜P-TRD255が用意され、またこのスロットポインタP-TRD1〜P-TRD255によって指定される日時スロット部が用意される。日時スロット部には１単位８バイトで２５５単位のスロット(01h) 〜(FFh) が形成されており、上述したＵ−ＴＯＣセクター０とほぼ同様の形態で日時データを管理する。
【００７５】
スロット(01h) 〜(FFh) には楽曲（トラック）の録音日時が６バイトで記録される。６バイトはそれぞれ１バイトづつ、年、月、日、時、分、秒に相当する数値が記録される。また、残りの２バイトはメーカーコード及びモデルコードとされ、その楽曲を録音した記録装置の製造者を示すコードデータ、及び録音した記録装置の機種を示すコードデータが記録される。
なお、スロット(01h) の前の８バイトのスロットはディスクに対しての録音日時データのためのエリアとされている。
【００７６】
例えばディスクに曲が第１曲目としてが録音されると、スロットポインタP-TRD1によって指定されるスロットにはその録音日時及び録音装置のメーカーコード、モデルコードが記録される。録音日時データはシステムコントローラ１１が内部時計１１ａを参照して自動的に記録することになる。
【００７７】
なお、このＵ−ＴＯＣセクター２でもスロットポインタP-EMPTY は使用していないスロットを管理するものである。使用されていないスロットについては、モデルコードに代えてリンク情報が記録されており、スロットポインタP-EMPTY を先頭に各未使用のスロットがリンク情報でリンクされて管理されている。
【００７８】
Ｕ−ＴＯＣセクター４は、上記したセクター１と同様に、ユーザーが録音を行なった楽曲に曲名をつけたり、ディスクタイトルをつける場合に、入力された文字情報を記録するデータ領域とされ、フォーマットは図６とほぼ同様であるため図示を省略する。
ただし、このセクターは漢字や欧州文字に対応するコードデータが記録されるものであり、図６のセクター１のデータに加えて、所定バイト位置にキャラクタコードとして使用する文字コードの属性が記録される。
このＵ−ＴＯＣセクター４の文字情報の管理は、セクター１と同様に文字スロット指示データ部としてスロットポインタP-TNA1〜P-TNA255及びスロットポインタP-TNA1〜P-TNA255によって指定される２５５単位のスロット(01h) 〜(FFh) によって行なわれる。
【００７９】
＜４．Ｕ−ＴＯＣによる管理例＞
ここで、光磁気ディスク１のエリア構造を説明し、Ｐ−ＴＯＣ、Ｕ−ＴＯＣにより管理される記録状態例を述べる。
図８（ａ）はディスク１のエリア構造をその半径方向に模式的に示したものである。
光磁気ディスクの場合、大きくわけて図８（ａ）にピットエリアとして示すようにエンボスピットによりデータが記録されているエリアと、いわゆる光磁気エリアとされてグルーブ（溝）が設けられているグルーブエリアに分けられる。
【００８０】
ここでピットエリアとしてはＰ−ＴＯＣが繰り返し記録されており、このＰ−ＴＯＣにおいて、Ｕ−ＴＯＣの位置がＵ−ＴＯＣスタートアドレスＵＳＴA として示され、また、リードアウトスタートアドレスＬＯA 、レコーダブルユーザーエリアスタートアドレスＲＳＴA 、パワーキャリブレーションエリアスタートアドレスＰＣA 等、図８（ａ）に示す各位置についてのアドレスが示されていることになる。
【００８１】
この光磁気ディスク１の最内周側のピットエリアに続いてグルーブエリアが形成されるが、このグルーブエリア内のうちＰ−ＴＯＣ内のリードアウトスタートアドレスＬＯA として示されるアドレスまでのエリアが、記録可能なレコーダブルエリアとされ、以降はリードアウトエリアとされている。
さらにこのレコーダブルエリアのうち、実際に音楽等のデータが記録されるレコーダブルユーザーエリアは、レコーダブルユーザーエリアスタートアドレスＲＳＴA から、リードアウトスタートアドレスＬＯA の直前の位置までとなる。
【００８２】
そして、グルーブエリア内においてレコーダブルユーザーエリアスタートアドレスＲＳＴA より前となるエリアは、記録再生動作のための管理エリアとされ、上記したＵ−ＴＯＣが記録され、またパワーキャリブレーションエリアスタートアドレスＰＣA として示される位置から１クラスタ分がレーザーパワーのキャリブレーションエリアとして設けられる。
Ｕ−ＴＯＣはこの記録再生動作のための管理エリア内においてＵ−ＴＯＣスタートアドレスＵＳＴA に示される位置から３クラスタ（１クラスタ＝３６セクター）連続して記録される。
【００８３】
実際の音声データは例えば図８（ａ）に例示するように、レコーダブルユーザーエリアに記録される。この例では、４トラック（楽曲）Ｍ1 〜Ｍ4 が記録されている場合を示している。
まずアドレスＡ0 〜Ａ1 のパーツとして第１曲目となるトラックＭ1 が記録され、また第２曲目となるトラックＭ2 はアドレスＡ2 〜Ａ3 に記録された前半部分のパーツＭ2-1 とアドレスＡ6 〜Ａ7 に記録された後半部分のパーツＭ2-2 にわかれて記録されている。また、第３曲目となるトラックＭ3 はアドレスＡ4 〜Ａ5 のパーツに記録され、第４曲目となるトラックＭ4 はアドレスＡ8 〜Ａ9 のパーツに記録されている。
この状態で、まだ楽曲の記録されていないフリーエリアＦ1 はアドレスＡ10〜Ａ11のパーツとなる。
【００８４】
この図８（ａ）の状態を管理するＵ−ＴＯＣセクター０のデータ例を図９に示す。
なお、この図９において、Ｕ−ＴＯＣ内のテーブルポインタやリンク情報としての１バイトデータが『００ｈ』とされている部分、及びスタートアドレス、エンドアドレスとしての３バイトデータが『００００００ｈ』とされている部分については、『−』と表記して示している。
また各パーツテーブルの右側に、対応するパーツ／トラックを示している。
さらに、光磁気ディスク１上でのレコーダブルユーザーエリアに欠陥は無いものとし、従ってテーブルポインタP-DFA は『００ｈ』とされている。
【００８５】
図８（ａ）の記録状態では、テーブルポインタP-FRA はフリーエリアを管理するため、例えばこの場合、テーブルポインタP-FRA に（０６ｈ）というパーツテーブルが示されているとすると、これに対応してパーツテーブル（０６ｈ）には、図８（ａ）でのフリーエリアＦ1 となるパーツについての情報が示されている。つまりアドレスＡ10がスタートアドレス、アドレスＡ11がエンドアドレスとして示される。なお、この場合他のフリーエリアパーツは存在しないため、パーツテーブル（０６ｈ）のリンク情報は『００ｈ』とされる。
【００８６】
また第１トラックＭ1 についてはテーブルポインタP-TNO1に示される（０１ｈ）のパーツテーブルにおいてそのスタートアドレスＡ0 及びエンドアドレスＡ1 が示される。トラックＭ1 は１つのパーツとして記録されているため、パーツテーブル（０１ｈ）のリンク情報は『００ｈ』とされている。
【００８７】
第２トラックＭ2 については、テーブルポインタP-TNO2に示される（０２ｈ）のパーツテーブルにおいてそのスタートアドレスＡ2 及びエンドアドレスＡ3 が示されている。ただしトラックＭ2 は２つのパーツ（Ｍ2-1 とＭ2-2 ）に別れて記録されており、アドレスＡ2 及びアドレスＡ3 はトラックＭ2 の前半部分のパーツＭ2-1 を示すのみである。そこでパーツテーブル（０２ｈ）のリンク情報として例えばパーツテーブル（０４ｈ）が示され、パーツテーブル（０４ｈ）には後半部分のパーツＭ2-2 のパーツを示すべく、スタートアドレスＡ6 及びエンドアドレスＡ7 が記録されている。以降リンクは不要であるためパーツテーブル
（０４ｈ）のリンク情報は『００ｈ』とされている。
【００８８】
第３トラックＭ3 ，第４トラックＭ4 についてもそれぞれテーブルポインタP-TNO3，P-TNO4を起点として得られるパーツテーブルによってそのパーツ位置が管理されている。なお、４曲しか録音されていないため、テーブルポインタP-TNO5〜P-TNO255までは使用されておらず『００ｈ』とされている。
また、使用していないパーツテーブルを示すテーブルポインタP-EMPTY は、この場合パーツテーブル（０７ｈ）を示しており、パーツテーブル（０７ｈ）からパーツテーブル（ＦＦｈ）までの全ての未使用のパーツテーブルがリンク情報によってリンクされている。
【００８９】
＜５．区間デリート処理＞
上述のようにＵ−ＴＯＣデータの更新による各種編集動作が可能であるが、本例においては特に区間デリートという編集処理を実現することで、トラック内の一部をデリートする編集作業の簡易化を実現する。
【００９０】
この区間デリート編集という編集モードについて図８（ｂ）（ｃ）及び図１０で説明する。
上述の図８（ａ）の記録状態において、ユーザーがトラックＭ3 内の一部として、図８（ｂ）に斜線を付した区間を削除したいと思ったとする。
【００９１】
この場合、本例では、ユーザーは区間デリートモードとする操作を行なった後、区間デリート処理の対象となる区間の開始位置となる始点ポイントを指定する始点ポイント指定操作ＤＳを行ない、また区間デリート処理の対象となる区間の終点位置となる終点ポイントを指定する終点ポイント指定操作ＤＥを行なう。
【００９２】
ここで始点ポイント指定操作ＤＳで指定されたディスク１上のアドレス（区間デリート開始アドレス）がアドレスＡ22であったとする。また終点ポイント指定操作ＤＥで指定されたディスク１上のアドレス（区間デリート終了アドレス）がアドレスＡ23であったとする。
するとシステムコントローラ１１は、この区間デリート開始アドレスＡ22から区間デリート終了アドレスＡ23までの区間が削除された状態になるようにＵ−ＴＯＣを更新する。
【００９３】
つまり図８（ｃ）に示すようにトラックＭ3 が、アドレスＡ4 からＡ21までのパーツＭ3-1 と、アドレスＡ24からＡ5 までのパーツＭ3-2 という２つのパーツにより構成されたトラックとなるようにし、また区間デリート開始アドレスＡ22から区間デリート終了アドレスＡ23までの区間はフリーエリアＦ2 となるようにする。
【００９４】
一例としては、上述した図９のようなデータ例によって管理されていた図８（ａ）の状態から、区間デリートモードでの始点ポイント指定操作ＤＳ、終点ポイント指定操作ＤＥに応じて、Ｕ−ＴＯＣセクター０が図１０のように更新され、これによって図８（ｃ）の状態が実現されることになる。
なお、図１０において斜線を付した部分は、図９の状態から更新された部分を示している。
【００９５】
即ち、アドレスＡ4 からＡ21までをトラックＭ3 を構成するパーツＭ3-1 とするため、パーツテーブル（０３ｈ）のエンドアドレスが『Ａ21』に書き換えられ、またパーツＭ3-2 をリンクさせるためにリンク情報として例えばパーツテーブル（０８ｈ）が指定される。そしてパーツテーブル（０８ｈ）においてパーツＭ3-2 としてのスタートアドレス『Ａ24』とエンドアドレス『Ａ5 』が記述され、リンク情報は『００ｈ』とされる。
【００９６】
一方、フリーエリアとして２つのフリーエリアＦ1 ，Ｆ2 が発生することになるため、図９でフリーエリアＦ1 を管理していたパーツテーブル（０６ｈ）においてリンク情報で例えばパーツテーブル（０７ｈ）が指定される。そしてパーツテーブル（０７ｈ）では、新たに発生したフリーエリアＦ2 としてのスタートアドレス『Ａ22』とエンドアドレス『Ａ23』が記述され、リンク情報は『００ｈ』とされる。
また新たにパーツテーブル（０７ｈ）（０８ｈ）が使用されたことにともなって、テーブルポインタP-EMPTY の値が『０９ｈ』に更新され、パーツテーブル（０９ｈ）〜（ＦＦｈ）までが未使用パーツテーブルとして管理される。
【００９７】
このようにＵ−ＴＯＣセクター０が更新されることで、図８（ｃ）のようにトラックＭ3 の中の一部が削除された状態が実現される。即ちトラックＭ3 の再生動作としては下部に矢印ＰＢＭ3 として示すように、パーツＭ3-1 とパーツＭ3-2 という２つのパーツが時間的に連続して行なわれることになる。
【００９８】
即ち本例ではこのような区間デリート処理が行なわれることで、図３９で説明したような煩雑な編集作業は不要となり、削除したい区間を指定するのみという簡単な動作で所望のトラックにおける部分的な削除が可能となる。
【００９９】
＜６．区間デリート処理におけるリハーサル機能＞
ところで、上記したように区間デリートモードにおいてユーザーは、区間デリート処理の対象となる区間の開始位置となる始点ポイントを指定する始点ポイント指定操作ＤＳと、区間デリート処理の対象となる区間の終点位置となる終点ポイントを指定する終点ポイント指定操作ＤＥを行なうことになるが、音楽などにおける特定のポイントをタイミングよく指定することは容易ではない。
【０１００】
例えば、イントロ→１番→２番→３番→エンディングと続く曲の内の２番だけを削除したい場合には、その１番と２番の繋ぎ目について始点ポイント指定操作ＤＳを行ない、また２番と３番の繋ぎ目において終点ポイント指定操作ＤＥを行なうが、その始点、終点の指定がかなり厳密に行なわれないと、区間デリート後においてイントロ→１番→３番→エンディングという再生を行なった際に、１番と３番の繋ぎ目の音がぎこちなくなったり、リズムが乱れたりする。
もちろん、曲以外のナレーションなどをカットしたような場合でも、ユーザーが再生音声を聞きながら丁度よいタイミングで区間デリートの始点ポイント、終
点ポイントを指定することは難しい。
【０１０１】
そこで本例では、区間デリートモードにおいて始点ポイント、終点ポイントの指定操作の際に、そのポイントを基準として所要の再生動作を実行させるリハーサル機能を設けるようにしている。そしてそのリハーサル再生音声を聞きながら始点ポイント、終点ポイントの指定位置を前後に調整できるようにし、それによって最も好適な区間のデリートが容易に実行できるようにしている。
【０１０２】
このリハーサル機能の動作を図１１、図１２で説明する。ここではユーザーが始点ポイント指定操作ＤＳを行なった際のリハーサル動作として説明するが、終点ポイント指定操作ＤＥを行なった際のリハーサル動作も同様に実行できる。また、終点ポイント指定操作ＤＥを行なった際のリハーサル動作としてはさらに多様な例も考えられるが、これらは後述する各区間デリート動作例において説明することとする。
【０１０３】
図１１では、ユーザーが始点ポイント指定操作ＤＳを行なった際に、その指定されたアドレスを起点として所定時間分だけの区間を繰り返しリハーサル再生させるようにしている。
【０１０４】
ユーザーが再生音声を聞きながら所要のタイミングで指定キー３９を押すという始点ポイント指定操作ＤＳを行なったとする。この操作で指定されたディスク上のアドレスが、図１１（ａ）に示すようにアドレスＡX1であったとすると、システムコントローラ１１はこのアドレスＡX1を区間デリート開始アドレスＡｄｓとして取り込む。
【０１０５】
するとシステムコントローラ１１は、アドレスＡX1から時間Ｔ（例えば４秒〜１０秒程度）の期間だけ再生動作を実行させる。これが即ち図中矢印で示すリハーサル再生ＲＨであり、ユーザーはこのリハーサル再生音声を聞くことで始点ポイント指定操作ＤＳで指定したポイントが適切か否かを確認できる。
【０１０６】
もし適切でないと思った場合は、ジョグダイヤル２７を操作して指定ポイントの変更を行なう。
例えばジョグダイヤル２７が＋方向に回されれば時間的に進む方向に指定ポイントが変更され、逆にジョグダイヤル２７が−方向に回されれば時間的に戻る方向に指定ポイントが変更されるようにする。
【０１０７】
例えば図１１（ａ）の状態からジョグダイヤル２７が−方向に回されたとする。するとシステムコントローラ１１は、その回転操作量に応じて図示するように始点ポイント指定操作ＤＳとして指定された位置を時間的に戻る方向に変更させ、つまり区間デリート開始アドレスＡｄｓの値をアドレスＡX2に変更する。
そしてシステムコントローラ１１は、アドレスＡX2から時間Ｔの期間だけリハーサル再生ＲＨを実行させ、ユーザーに指定したポイントが適切か否かを判断させる。
【０１０８】
また、例えば図１１（ｂ）の状態からジョグダイヤル２７が＋方向に回されたとする。するとシステムコントローラ１１は、その回転操作量に応じて図示するように始点ポイント指定操作ＤＳとして指定された位置を時間的に進む方向に変更させ、つまり区間デリート開始アドレスＡｄｓの値をアドレスＡX3に変更する。
そしてシステムコントローラ１１は、アドレスＡX3から時間Ｔの期間だけリハーサル再生ＲＨを実行させ、ユーザーに指定したポイントが適切か否かを判断させる。
【０１０９】
ユーザーはこのようにジョグダイヤル２７を操作して指定ポイントを調整していくことができるとともに、そのたびにリハーサル再生音声で指定ポイントを確認できる。そして、適切なポイントを指定できたと思ったら、例えばイエスキー３０を押すなどのエンター操作を行なう。するとシステムコントローラ１１は、その時点での区間デリート開始アドレスＡｄｓを、区間デリート処理の起点となるアドレスとして確定する。
【０１１０】
図１２の例は、ユーザーが始点ポイント指定操作ＤＳ（もしくは終点ポイント指定操作ＤＥ）を行なった際に、その指定されたアドレスに対して所定時間前からの区間を繰り返しリハーサル再生させるようにするものである。
【０１１１】
ユーザーが再生音声を聞きながら所要のタイミングで指定キー３９を押すという始点ポイント指定操作ＤＳを行なったとする。この操作で指定されたディスク上のアドレスが、図１２（ａ）に示すようにアドレスＡX1であったとすると、システムコントローラ１１はこのアドレスＡX1を区間デリート開始アドレスＡｄｓとして取り込む。
【０１１２】
するとシステムコントローラ１１は、アドレスＡX1から例えば４秒〜１０秒程度とされる或る特定の時間Ｔに相当するアドレス量ＡｄｔをアドレスＡX1から減算するなどして、アドレスＡX1からＴ秒前の位置のアドレス（ＡX1−Ａｄｔ）を求める。そして時間Ｔに相当する、アドレス（ＡX1−Ａｄｔ）からアドレスＡX1までのリハーサル再生ＲＨを繰り返し実行させ、ユーザーに指定ポイントが適切か否かを確認させる。
【０１１３】
ここでユーザーがジョグダイヤル２７が−方向に回したとする。するとシステムコントローラ１１は、その回転操作量に応じて図１２（ｂ）に示すように始点ポイント指定操作ＤＳとして指定された位置を時間的に戻る方向に変更させ、つまり区間デリート開始アドレスＡｄｓの値をアドレスＡX2に変更する。
そしてシステムコントローラ１１は、アドレスＡX2から時間Ｔに相当するアドレス量ＡｄｔをアドレスＡX2から減算するなどして、アドレスＡX2からＴ秒前の位置のアドレス（ＡX2−Ａｄｔ）を求める。そして時間Ｔとなるアドレス（ＡX2−Ａｄｔ）からアドレスＡX2までのリハーサル再生ＲＨを繰り返し実行させ、ユーザーに指定ポイントが適切か否かを確認させる。
【０１１４】
また、例えば図１２（ｂ）の状態からジョグダイヤル２７が＋方向に回されたとする。するとシステムコントローラ１１は、その回転操作量に応じて図示するように始点ポイント指定操作ＤＳとして指定された位置を時間的に進む方向に変更させ、つまり区間デリート開始アドレスＡｄｓの値をアドレスＡX3に変更する。
【０１１５】
そしてシステムコントローラ１１は、アドレスＡX3から時間Ｔに相当するアドレス量ＡｄｔをアドレスＡX3から減算するなどして、アドレスＡX3からＴ秒前の位置のアドレス（ＡX3−Ａｄｔ）を求める。そして時間Ｔとなるアドレス（ＡX3−Ａｄｔ）からアドレスＡX3までのリハーサル再生ＲＨを繰り返し実行させ、ユーザーに指定ポイントが適切か否かを確認させる。
【０１１６】
この場合でも、ユーザーはジョグダイヤル２７を操作して指定ポイントを調整していくことができ、しかも、そのたびにリハーサル再生音声で指定ポイントを確認できる。そして、適切なポイントを指定できたと思ったら、例えばイエスキー３０を押すなどのエンター操作を行なう。するとシステムコントローラ１１は、その時点での区間デリート開始アドレスＡｄｓを、区間デリート処理の起点となるアドレスとして確定する。
【０１１７】
なお、ミニディスクシステムの場合、上述のように１つのトラックが複数パーツに別れている場合がある。この場合、再生動作でみる場合の時間的な位置とディスク上の物理的な位置の関係は必ずしも一致しない。
従って、ディスク上の物理的な位置を示す或るアドレスＡX よりＴ秒前の位置のアドレスは、単純に（ＡX −Ａｄｔ）で求めることができない場合がある。
このため実際には、或るアドレスＡX が或るパーツの先頭よりＴ秒以内のポイントのアドレスであった場合は、そのＴ秒に満たない時間分を、当該パーツがリンクされている前のパーツの終端からさかのぼったアドレスを探す必要がある。このようなアドレスの算出は時間量とアドレス量の換算を行なう演算と、Ｕ−ＴＯＣにおける各パーツのアドレスを参照し、アドレスＡX が含まれるパーツのスタートアドレスと、その前のパーツのエンドアドレスを用いた演算で可能である。
【０１１８】
具体的には、アドレスＡX を含むパーツのスタートアドレスをＡP1STとし、スタートアドレスＡXST からアドレスＡX までのアドレス量（ＡX −ＡXST ）がＴ秒分のアドレス量Ａｄｔに満たない場合は、Ｔ秒前の音声データは当該パーツをリンクしている前のパーツに記録されていることになる。従って当該パーツ内ではさかのぼれない時間分は、前のパーツのエンドアドレスからさかのぼっていく必要がある。当該パーツ内ではさかのぼれない時間分とは、当該パーツ内でのアドレス量（ＡX −ＡXST ）がＴ秒分のアドレス量Ａｄｔに満たない量であるため、アドレス量（Ａｄｔ−（ＡX −ＡXST ））となる。
従って、前のパーツのエンドアドレスをＡP0EDとすると、アドレスＡX よりＴ秒前のポイントのアドレスは、
ＡP0ED−（Ａｄｔ−（ＡX −ＡXST ））
で求められることになる。
【０１１９】
以上の図１１、図１２の例のように、ユーザーは始点ポイントもしくは終点ポイントの指定操作の際に、その指定ポイントからの再生音声もしくは指定ポイントまでの再生音声など、指定ポイントを基準とした区間のリハーサル再生により、指定ポイントが適切であるか否かを確認し、必要に応じて指定ポイントを修正できる。これによって、適切な区間を指定して区間デリート処理を実行させることができるとともに、不適切な区間を指定した区間デリートが実行されることを防止できる。
【０１２０】
ところで、ジョグダイヤル２７による調整量の単位は例えばセクター単位の微調整を行なうことができるようにしてもよいし、またさらに細かくサウンドグループ単位で実行できるようにしてもよい。
また、本例ではジョグダイヤル２７を用いるようにしたが、もちろん操作キーなど他の形態の操作手段を用いるものでもよい。
【０１２１】
＜７．リハーサル動作を伴う区間デリート処理＞
（ａ．区間デリート動作例1）
以下、リハーサル動作を伴う区間デリート処理の動作例として動作例1〜8をそれぞれ説明していく。各動作例の説明にはそれぞれ図１３〜図２０のイメージ図と図２１〜図３６のフローチャートを用いる。図１３〜図２０のイメージ図は特にリハーサル再生区間のイメージであり、また図２１〜図３６のフローチャートは区間デリートモードとされた際のシステムコントローラ１１の処理を示している。
【０１２２】
まず動作例1を図１３のイメージ図及び図２１、図２２のフローチャートで説明する。
ユーザーがエディットキー２９を操作することで区間デリートモードとされると、システムコントローラ１１は図２１の処理を開始する。
この区間デリートモードでは、ユーザーはまず始点ポイント指定操作ＤＳを行なうことが必要になるが、このために再生音声を聞きながら始点ポイント指定操作ＤＳ（つまり指定キー３９の操作）を行なうべきポイントを探さなければならない。
【０１２３】
このため、まずユーザーは再生操作／サーチ操作／ポーズ（一時停止）操作等を必要に応じて実行し、区間デリートを実行する始点としての所望のポイントを探していくことになる。このようなユーザーの操作に対応して、システムコントローラ１１はステップF101で再生／サーチ（アクセス又は早送り又は早戻し）／再生ポーズなどの動作を実行させることになる。
【０１２４】
ユーザーはこのように所望のポイントを探していき、区間デリートを実行する始点としてのポイントの音声が再生出力されたタイミングに合わせて指定キー３９を押す。即ち始点ポイント指定操作ＤＳを行なう。するとシステムコントローラ１１の処理はステップF102からF103に進み、その始点ポイント指定操作ＤＳで指定されたポイントのアドレスを内部ＲＡＭ１１ａにおいて区間デリート開始アドレスＡｄｓとして記憶する。
【０１２５】
次にステップF104から、区間デリート開始アドレスＡｄｓに対して光学ヘッド３のアクセスを行なわせ、そのアドレスＡｄｓからの再生動作を開始させるとともに、ステップF105で内部タイマーとしてＴ時間（例えば４〜１０秒程度）をカウントするタイマをセットし、カウントをスタートさせる。
これは即ち、図１３におけるリハーサル再生ＲＨ１としての動作が開始されることになる。このリハーサル再生ＲＨ１の動作は、図１１で説明した例に相当する動作となる。
【０１２６】
そしてステップF106,F107,F108,F109 の、Ｔ時間のタイムオーバー、ジョグダイヤル２７の操作、イエスキー３０などによるエンター操作のそれぞれを監視するループに入る。
【０１２７】
リハーサル再生ＲＨ１は、ジョグダイヤル２７の操作もしくはエンター操作があるまでは繰り返し行なわれる。即ちステップF106でタイムオーバーが検出される時点とは、図１３のリハーサル再生ＲＨ１としてのＴ秒間の再生が終了した時点であり、このときはステップF104に戻って区間デリート開始アドレスＡｄｓに対して光学ヘッド３のアクセスを行なわせ、再生動作を開始させるとともに、ステップF105で内部タイマーとしてＴ時間（例えば４〜１０秒程度）をカウントするタイマをセットし、カウントをスタートさせる。即ち、Ｔ秒間のリハーサル再生ＲＨ１を再び開始することになる。
【０１２８】
リハーサル再生ＲＨ１の実行中にユーザーがジョグダイヤル２７を＋方向に回したとすると、処理はステップF107からF110に進み、システムコントローラ１１はＲＡＭ１１ａに記憶している区間デリート開始アドレスＡｄｓの値を更新する。即ちジョグダイヤル２７の＋方向の回動操作量に応じたアドレス量ＪＧを算出し、記憶されている区間デリート開始アドレスＡｄｓの値に加えて新たな区間デリート開始アドレスＡｄｓとする。そしてステップF104,F105 に戻って、その新たな区間デリート開始アドレスＡｄｓを基準としたリハーサル再生を開始させる。即ち図１１（ｃ）で説明したように始点ポイント指定操作ＤＳでの指定ポイントを時間的に進む方向に変更し、その位置を基準としたリハーサル再生を行なう動作となる。
【０１２９】
またリハーサル再生ＲＨ１の実行中にユーザーがジョグダイヤル２７を−方向に回したとすると、処理はステップF108からF111に進み、システムコントローラ１１はＲＡＭ１１ａに記憶している区間デリート開始アドレスＡｄｓの値を更新する。即ちジョグダイヤル２７の−方向の回動操作量に応じたアドレス量ＪＧを算出し、記憶されている区間デリート開始アドレスＡｄｓの値からアドレス量ＪＧを減算して新たな区間デリート開始アドレスＡｄｓとする。そしてステップF104,F105 に戻って、その新たな区間デリート開始アドレスＡｄｓを基準としたリハーサル再生を開始させる。即ち図１１（ｂ）で説明したように始点ポイント指定操作ＤＳでの指定ポイントを時間的に戻る方向に変更し、その位置を基準としたリハーサル再生を行なう動作となる。
【０１３０】
なお上述のとおり、１つのトラックが複数パーツに別れている場合、再生動作でみる場合の時間的な位置とディスク上の物理的な位置の関係は一致しない。
説明の煩雑化を避けるため、ステップF110,F111 における区間デリート開始アドレスＡｄｓの変更処理は、単純に加算もしくは減算処理として示しているが、変更させる量がパーツ分割点を越えるような場合は、それに応じたアドレス算出のための演算処理が必要になることになる。例えば区間デリート開始アドレスＡｄｓがほぼ或るパーツのスタートアドレス近辺であったような場合に、時間的に戻るように区間デリート開始アドレスＡｄｓが変更操作された場合は、新たな区間デリート開始アドレスＡｄｓとしては、その前のパーツのエンドアドレスから所要の時間分だけさかのぼったアドレス値に更新されることになる。
このような事情は図２２におけるステップF122,F123 でも同様であり、また後述する動作例2〜8における同内容の処理ステップにおいても同様となるが、説明上、単純な加算もしくは減算処理として説明することとする。
【０１３１】
リハーサル再生音声を聞いてユーザーが始点ポイント指定操作ＤＳで指定したポイントが適切であると判断したら、ユーザーはエンター操作を行なうことになる。このときシステムコントローラ１１の処理はステップF109から図２２のステップF112に進む。そしてその時点で確定された区間デリート開始アドレスＡｄｓから再生動作を開始させる。この再生動作は、次にユーザーが終点ポイント指定操作ＤＥ（指定キー３９の操作）を行なうべきポイントを探させるための動作となる。
【０１３２】
ユーザーは、そのまま再生音声を聞きながら、また必要に応じてサーチ操作／ポーズ（一時停止）／再生操作等を実行していき、区間デリートを実行する終点としての所望のポイントを探していくことになる。このようなユーザーの操作に対応して、システムコントローラ１１はステップF113でサーチ（アクセス又は早送り又は早戻し）／再生ポーズ／再生などの動作を実行させることになる。
【０１３３】
ユーザーはこのように所望のポイントを探していき、区間デリートを実行する終点としてのポイントの音声が再生出力されたタイミングに合わせて指定キー３９を押す。即ち終点ポイント指定操作ＤＥを行なう。するとシステムコントローラ１１の処理はステップF114からF115に進み、その終点ポイント指定操作ＤＥで指定されたポイントのアドレスを内部ＲＡＭ１１ａにおいて区間デリート終了アドレスＡｄｅとして記憶する。
【０１３４】
次にステップF116から、区間デリート終了アドレスＡｄｅに対して光学ヘッド３のアクセスを行なわせ、そのアドレスＡｄｅからの再生動作を開始させるとともに、ステップF117で内部タイマーとしてＴ時間（例えば４〜１０秒程度）をカウントするタイマをセットし、カウントをスタートさせる。なお、このタイムカウントする時間Ｔは、上記図２１のステップF105での時間と同じ時間としてもよいし、異なる時間としてもよい。
【０１３５】
このステップF116,F117 の処理により、図１３におけるリハーサル再生ＲＨ２としての動作が開始されることになる。そしてこのリハーサル再生ＲＨ２の動作は、図１１で説明した例に相当する動作となる。
【０１３６】
そしてステップF118,F119,F120,F121 の、Ｔ時間のタイムオーバー、ジョグダイヤル２７の操作、イエスキー３０などによるエンター操作のそれぞれを監視するループに入る。
【０１３７】
リハーサル再生ＲＨ２も、ジョグダイヤル２７の操作もしくはエンター操作があるまでは繰り返し行なわれる。即ちステップF118でタイムオーバーが検出される時点とは、図１３のリハーサル再生ＲＨ２としてのＴ秒間の再生が終了した時点であり、このときはステップF116に戻って区間デリート終了アドレスＡｄｅに対して光学ヘッド３のアクセスを行なわせ、再生動作を開始させるとともに、ステップF105で内部タイマーとしてＴ時間をカウントするタイマをセットし、カウントをスタートさせる。即ち、Ｔ秒間のリハーサル再生ＲＨ２を再び開始することになる。
【０１３８】
リハーサル再生ＲＨ２の実行中にユーザーがジョグダイヤル２７を＋方向に回したとすると、処理はステップF119からF122に進み、システムコントローラ１１はＲＡＭ１１ａに記憶している区間デリート終了アドレスＡｄｅの値を更新する。即ちジョグダイヤル２７の＋方向の回動操作量に応じたアドレス量ＪＧを算出し、記憶されている区間デリート終了アドレスＡｄｅの値に加えて新たな区間デリート終了アドレスＡｄｅとする。そしてステップF116,F117 に戻って、その新たな区間デリート開始アドレスＡｄｓを基準としたリハーサル再生を開始させる。即ち図１１（ｃ）で説明した場合と同様に終点ポイント指定操作ＤＥでの指定ポイントを時間的に進む方向に変更し、その位置を基準としたリハーサル再生を行なう動作となる。
【０１３９】
またリハーサル再生ＲＨ２の実行中にユーザーがジョグダイヤル２７を−方向に回したとすると、処理はステップF120からF123に進み、システムコントローラ１１はＲＡＭ１１ａに記憶している区間デリート終了アドレスＡｄｅの値を更新する。即ちジョグダイヤル２７の−方向の回動操作量に応じたアドレス量ＪＧを算出し、記憶されている区間デリート終了アドレスＡｄｅの値からアドレス量ＪＧを減算して新たな区間デリート終了アドレスＡｄｅとする。そしてステップF116,F117 に戻って、その新たな区間デリート終了アドレスＡｄｅを基準としたリハーサル再生を開始させる。即ち図１１（ｂ）で説明した場合と同様に始点ポイント指定操作ＤＳでの指定ポイントを時間的に戻る方向に変更し、その位置を基準としたリハーサル再生を行なう動作となる。
【０１４０】
リハーサル再生音声を聞いてユーザーが終点ポイント指定操作ＤＥで指定したポイントが適切であると判断したら、ユーザーはエンター操作を行なうことになる。このときシステムコントローラ１１の処理はステップF121からF124に進み、システムコントローラ１１はその時点でＲＡＭ１１ａに保持されている区間デリート開始アドレスＡｄｓ，区間デリート終了アドレスＡｄｅ、つまり入力決定された区間デリート開始アドレスＡｄｓ，区間デリート終了アドレスＡｄｅに基づいて、その区間デリート開始アドレスＡｄｓから区間デリート終了アドレスＡｄｅまでの区間を削除するべくＵ−ＴＯＣデータの更新を行なう。これは図１０で説明したような更新処理となる。
【０１４１】
この更新処理はまずバッファメモリ１３に保持されているＵ−ＴＯＣデータに対して行ない、その後、そのＵ−ＴＯＣデータを記録データとして転送し、ディスク１のＵ−ＴＯＣエリアの更新を行なうことになる。
そして、ステップF124の更新処理を終えたら、区間デリートが完了したことになり、区間デリートモードを終了する。
【０１４２】
なお、ステップF124での更新処理はバッファメモリ１３に保持されているＵ−ＴＯＣデータに対して行なうのみとし、ディスク１上でのＵ−ＴＯＣ更新は、その後の所定タイミング（例えば電源オフ操作時やディスクイジェクト操作時）などに行なうようにしてもよい。
【０１４３】
以上の動作例1では図１３のように、始点ポイント指定操作ＤＳ、終点ポイント指定操作ＤＥで指定入力された（もしくはジョグダイヤル２７の操作による変更された）、区間デリート開始アドレスＡｄｓと区間デリート終了アドレスＡｄｅのそれぞれについて、そのアドレスからＴ秒間のリハーサル再生（ＲＨ１，ＲＨ２）が行なわれることになる。
【０１４４】
（ｂ．区間デリート動作例2）
次に区間デリート動作例2を図１４のイメージ図と図２３、図２４のフローチャートで説明する。
この動作例2では、図１４からわかるように、始点ポイント指定操作ＤＳにより指定入力された（もしくはジョグダイヤル２７の操作による変更された）区間デリート開始アドレスＡｄｓについては、そのアドレスからＴ秒間のリハーサル再生ＲＨ１が行なわれ、一方、終点ポイント指定操作ＤＥで指定入力された（もしくはジョグダイヤル２７の操作による変更された）区間デリート終了アドレスＡｄｅについては、そのアドレスを終点とするＴ秒間のリハーサル再生ＲＨ２が行なわれるようにするものである。
【０１４５】
ユーザーがエディットキー２９を操作することで区間デリートモードとされると、システムコントローラ１１は図２３の処理を開始する。この図２３の処理で、始点ポイント指定操作ＤＳに応じた区間デリート開始アドレスＡｄｓの設定及びそのアドレスからＴ秒間のリハーサル再生と、必要に応じてユーザーが行なうジョグダイヤル２７の操作に応じた区間デリート開始アドレスＡｄｓの変更及びそのアドレスからＴ秒間のリハーサル再生とが行なわれ、エンター操作に応じて区間デリート開始アドレスＡｄｓが決定される。
これらの処理がステップF201〜F211として実行されるが、これは上記動作例1の処理として図２１に示したステップF101〜F111の処理と同様であるため説明を省略する。
【０１４６】
ステップF209のエンター操作によって区間デリート開始アドレスＡｄｓが決定されたら、システムコントローラ１１の処理は図２４のステップF212に進む。そしてユーザーが終点ポイント指定操作ＤＥを行なうべきポイントを探させるための動作として、その時点で確定されている区間デリート開始アドレスＡｄｓから再生動作を開始させる。
【０１４７】
ユーザーは、そのまま再生音声を聞きながら、また必要に応じてサーチ操作／ポーズ（一時停止）／再生操作等を実行していき、区間デリートを実行する終点としての所望のポイントを探していくことになる。このようなユーザーの操作に対応して、システムコントローラ１１はステップF213でサーチ（アクセス又は早送り又は早戻し）／再生ポーズ／再生などの動作を実行させることになる。
【０１４８】
ユーザーはこのように所望のポイントを探していき、区間デリートを実行する終点としてのポイントの音声が再生出力されたタイミングに合わせて指定キー３９を押す。即ち終点ポイント指定操作ＤＥを行なう。するとシステムコントローラ１１の処理はステップF214からF215に進み、その終点ポイント指定操作ＤＥで指定されたポイントのアドレスを内部ＲＡＭ１１ａにおいて区間デリート終了アドレスＡｄｅとして記憶する。
【０１４９】
次にステップF216では、区間デリート終了アドレスＡｄｅから例えば４秒〜１０秒程度である時間Ｔに相当するアドレス量Ａｄｔを減算するなどして、区間デリート終了アドレスＡｄｅでの音声データよりＴ秒前の音声データを記録しているアドレス（Ａｄｅ−Ａｄｔ）を求める。そしてアドレス（Ａｄｅ−Ａｄｔ）に対して光学ヘッド３のアクセスを行なわせ、そのアドレス（Ａｄｅ−Ａｄｔ）からの再生動作を開始させる。
【０１５０】
このステップF216の処理により、図１４におけるリハーサル再生ＲＨ２としての動作が開始されることになる。このリハーサル再生ＲＨ２の動作は、図１２で説明した例に相当する動作となる。なお、パーツ分割されている場合に、区間デリート終了アドレスＡｄｅから再生音声としてＴ秒分だけさかのぼったポイントのアドレスは、単純に（Ａｄｅ−Ａｄｔ）の演算で求められずに、パーツ分割点に応じた演算が必要になることは上述の通りである。
【０１５１】
ステップF217では、１回のリハーサル再生の終了、つまりリハーサル再生が区間デリート終了アドレスＡｄｅに達したかを監視する。またステップF218,F219,F220では、それぞれジョグダイヤル２７の操作、イエスキー３０などによるエンター操作のそれぞれを監視する。
【０１５２】
リハーサル再生ＲＨ２も、ジョグダイヤル２７の操作もしくはエンター操作があるまでは繰り返し行なわれる。即ちステップF217で１回のリハーサル再生の終了が検出されると、ステップF216に戻って、再びアドレス（Ａｄｅ−Ａｄｔ）に対して光学ヘッド３のアクセスを行なわせ、そのアドレス（Ａｄｅ−Ａｄｔ）からの再生動作を開始させる。即ち、Ｔ秒間のリハーサル再生ＲＨ２を再び開始することになる。
【０１５３】
リハーサル再生ＲＨ２の実行中にユーザーがジョグダイヤル２７を＋方向に回したとすると、処理はステップF218からF221に進み、システムコントローラ１１はＲＡＭ１１ａに記憶している区間デリート終了アドレスＡｄｅの値を更新する。即ちジョグダイヤル２７の＋方向の回動操作量に応じたアドレス量ＪＧを算出し、記憶されている区間デリート終了アドレスＡｄｅの値に加えて新たな区間デリート終了アドレスＡｄｅとする。そしてステップF216に戻って、その新たな区間デリート終了アドレスＡｄｅを基準とした、アドレス（Ａｄｅ−Ａｄｔ）からのリハーサル再生を開始させる。即ち図１２（ｃ）で説明した場合と同様に終点ポイント指定操作ＤＥでの指定ポイントを時間的に進む方向に変更し、その位置を基準としたリハーサル再生を行なう動作となる。
【０１５４】
またリハーサル再生ＲＨ２の実行中にユーザーがジョグダイヤル２７を−方向に回したとすると、処理はステップF219からF222に進み、システムコントローラ１１はＲＡＭ１１ａに記憶している区間デリート終了アドレスＡｄｅの値を更新する。即ちジョグダイヤル２７の−方向の回動操作量に応じたアドレス量ＪＧを算出し、記憶されている区間デリート終了アドレスＡｄｅの値からアドレス量ＪＧを減算して新たな区間デリート終了アドレスＡｄｅとする。そしてステップF216に戻って、その新たな区間デリート終了アドレスＡｄｅを基準とした、アドレス（Ａｄｅ−Ａｄｔ）からのリハーサル再生を開始させる。即ち図１２（ｂ）で説明した場合と同様に終点ポイント指定操作ＤＥでの指定ポイントを時間的に戻る方向に変更し、その位置を基準としたリハーサル再生を行なう動作となる。
【０１５５】
リハーサル再生音声を聞いてユーザーが終点ポイント指定操作ＤＥで指定したポイントが適切であると判断したら、ユーザーはエンター操作を行なうことになる。このときシステムコントローラ１１の処理はステップF220からF223に進み、その時点でＲＡＭ１１ａに保持されている区間デリート開始アドレスＡｄｓ，区間デリート終了アドレスＡｄｅ、つまり入力決定された区間デリート開始アドレスＡｄｓ，区間デリート終了アドレスＡｄｅに基づいて規定される区間を削除するべくＵ−ＴＯＣデータの更新を行なう。この更新処理はまずバッファメモリ１３に保持されているＵ−ＴＯＣデータに対して行ない、その後、そのＵ−ＴＯＣデータを記録データとして転送し、ディスク１のＵ−ＴＯＣエリアの更新を行なうことになる。そして、ステップF223の更新処理を終えたら、区間デリートが完了したことになり、区間デリートモードを終了する。
【０１５６】
以上の処理により、図１４のように、デリートする区間の最初の部分と最後の部分をリハーサル再生の対象とする動作例2として区間デリートが実行されることになる。
【０１５７】
（ｃ．区間デリート動作例3）
次に区間デリート動作例3を図１５のイメージ図と図２５、図２６のフローチャートで説明する。
この動作例3では、図１５に示すように、始点ポイント指定操作ＤＳにより指定入力された（もしくはジョグダイヤル２７の操作による変更された）区間デリート開始アドレスＡｄｓについては、そのアドレスを終点とするＴ秒間のリハーサル再生ＲＨ１が行なわれるようにし、一方、終点ポイント指定操作ＤＥで指定入力された（もしくはジョグダイヤル２７の操作による変更された）区間デリート終了アドレスＡｄｅについては、そのアドレスからＴ秒間のリハーサル再生ＲＨ２が行なわれるようにするものである。
【０１５８】
ユーザーがエディットキー２９を操作することで区間デリートモードとされると、システムコントローラ１１は図２５の処理を開始する。
ユーザーはまず始点ポイント指定操作ＤＳを行なうために再生操作／サーチ操作／ポーズ（一時停止）操作等を必要に応じて実行し、区間デリートを実行する始点としての所望のポイントを探していくことになる。このようなユーザーの操作に対応して、システムコントローラ１１はステップF301で再生／サーチ（アクセス又は早送り又は早戻し）／再生ポーズなどの動作を実行させる。
【０１５９】
ユーザーはこのように所望のポイントを探していき、区間デリートを実行する始点としてのポイントの音声が再生出力されたタイミングに合わせて指定キー３９を押す。即ち始点ポイント指定操作ＤＳを行なう。するとシステムコントローラ１１の処理はステップF302からF303に進み、その始点ポイント指定操作ＤＳで指定されたポイントのアドレスを内部ＲＡＭ１１ａにおいて区間デリート開始アドレスＡｄｓとして記憶する。
【０１６０】
次にステップF304では、区間デリート開始アドレスＡｄｓから例えば４秒〜１０秒程度とされる或る特定の時間Ｔに相当するアドレス量Ａｄｔを減算するなどして、区間デリート開始アドレスＡｄｓでの音声データよりＴ秒前の音声データを記録しているアドレス（Ａｄｓ−Ａｄｔ）を求める。そしてアドレス（Ａｄｓ−Ａｄｔ）に対して光学ヘッド３のアクセスを行なわせ、そのアドレス（Ａｄｓ−Ａｄｔ）からの再生動作を開始させる。
【０１６１】
このステップF304の処理により、図１５におけるリハーサル再生ＲＨ１としての動作が開始されることになる。このリハーサル再生ＲＨ１の動作は、図１２で説明した例に相当する動作となる。なお、パーツ分割されている場合に、区間デリート開始アドレスＡｄｓから再生音声としてＴ秒分だけさかのぼったポイントのアドレスは、単純に（Ａｄｓ−Ａｄｔ）の演算で求められずに、パーツ分割点に応じた演算が必要になることは上述の通りである。
【０１６２】
ステップF305では、１回のリハーサル再生の終了、つまりリハーサル再生が区間デリート開始アドレスＡｄｓに達したかを監視する。またステップF306,F307,F308では、それぞれジョグダイヤル２７の操作、イエスキー３０などによるエンター操作のそれぞれを監視する。
【０１６３】
リハーサル再生ＲＨ１は、ジョグダイヤル２７の操作もしくはエンター操作があるまでは繰り返し行なわれる。即ちステップF305で１回のリハーサル再生の終了が検出されると、ステップF304に戻って、再びアドレス（Ａｄｓ−Ａｄｔ）に対して光学ヘッド３のアクセスを行なわせ、そのアドレス（Ａｄｓ−Ａｄｔ）からの再生動作を開始させる。即ち、Ｔ秒間のリハーサル再生ＲＨ１を再び開始することになる。
【０１６４】
リハーサル再生ＲＨ１の実行中にユーザーがジョグダイヤル２７を＋方向に回したとすると、処理はステップF305からF309に進み、システムコントローラ１１はＲＡＭ１１ａに記憶している区間デリート開始アドレスＡｄｓの値を更新する。即ちジョグダイヤル２７の＋方向の回動操作量に応じたアドレス量ＪＧを算出し、記憶されている区間デリート開始アドレスＡｄｓの値に加えて新たな区間デリート開始アドレスＡｄｓとする。そしてステップF216に戻って、その新たな区間デリート開始アドレスＡｄｓを基準とした、アドレス（Ａｄｓ−Ａｄｔ）からのリハーサル再生を開始させる。即ち図１２（ｃ）で説明した場合と同様に終点ポイント指定操作ＤＥでの指定ポイントを時間的に進む方向に変更し、その位置を基準としたリハーサル再生を行なう動作となる。
【０１６５】
またリハーサル再生ＲＨ１の実行中にユーザーがジョグダイヤル２７を−方向に回したとすると、処理はステップF307からF310に進み、システムコントローラ１１はＲＡＭ１１ａに記憶している区間デリート開始アドレスＡｄｓの値を更新する。即ちジョグダイヤル２７の−方向の回動操作量に応じたアドレス量ＪＧを算出し、記憶されている区間デリート開始アドレスＡｄｓの値からアドレス量ＪＧを減算して新たな区間デリート開始アドレスＡｄｓとする。そしてステップF304に戻って、その新たな区間デリート開始アドレスＡｄｓを基準とした、アドレス（Ａｄｓ−Ａｄｔ）からのリハーサル再生を開始させる。即ち図１２（ｂ）で説明した場合と同様に始点ポイント指定操作ＤＳでの指定ポイントを時間的に戻る方向に変更し、その位置を基準としたリハーサル再生を行なう動作となる。
【０１６６】
リハーサル再生音声を聞いてユーザーが始点ポイント指定操作ＤＳで指定したポイントが適切であると判断したら、ユーザーはエンター操作を行なうことになる。このときシステムコントローラ１１の処理はステップF308から図２６のステップF311に進む。そしてユーザーが終点ポイント指定操作ＤＥを行なうべきポイントを探させるための動作として、その時点で確定されている区間デリート開始アドレスＡｄｓから再生動作を開始させる。
【０１６７】
以降、この図２６の処理で、終点ポイント指定操作ＤＥに応じた区間デリート終了アドレスＡｄｅの設定及びそのアドレスからＴ秒間のリハーサル再生と、必要に応じてユーザーが行なうジョグダイヤル２７の操作に応じた区間デリート終了アドレスＡｄｅの変更及びそのアドレスからＴ秒間のリハーサル再生とが行なわれ、エンター操作に応じて区間デリート終了アドレスＡｄｅが決定される。
【０１６８】
そして、入力決定された区間デリート開始アドレスＡｄｓ，区間デリート終了アドレスＡｄｅに基づいて規定される区間を削除するべくＵ−ＴＯＣデータの更新が行なわれ、区間デリートモードが終了する。
これらの処理がステップF311〜F323として実行されるが、これは上記動作例1の処理として図２２に示したステップF112〜F124の処理と同様であるため説明を省略する。
【０１６９】
以上の処理により、図１５のように、デリートする区間の前のＴ秒間の部分とデリートする区間の後のＴ秒間の部分をリハーサル再生の対象とする動作例3として区間デリートが実行されることになる。
【０１７０】
（ｄ．区間デリート動作例4）
次に区間デリート動作例4としての動作及び処理を図１６のイメージ図と図２７、図２８のフローチャートに示す。
この動作例4は、図１６に示すように、始点ポイント指定操作ＤＳにより指定入力された（もしくはジョグダイヤル２７の操作による変更された）区間デリート開始アドレスＡｄｓについては、そのアドレスを終点とするＴ秒間のリハーサル再生ＲＨ１が行なわれ、また、終点ポイント指定操作ＤＥで指定入力された（もしくはジョグダイヤル２７の操作による変更された）区間デリート終了アドレスＡｄｅについても、そのアドレスを終点とするＴ秒間のリハーサル再生ＲＨ２が行なわれるものである。
【０１７１】
ユーザーがエディットキー２９を操作することで区間デリートモードとされると、システムコントローラ１１は図２７の処理を開始する。この図２７の処理で、始点ポイント指定操作ＤＳに応じた区間デリート開始アドレスＡｄｓの設定及びそのアドレスを終点とするＴ秒間のリハーサル再生と、必要に応じてユーザーが行なうジョグダイヤル２７の操作に応じた区間デリート開始アドレスＡｄｓの変更及びそのアドレスを終点とするＴ秒間のリハーサル再生とが行なわれ、エンター操作に応じて区間デリート開始アドレスＡｄｓが決定される。
これらの処理がステップF401〜F410として実行されるが、これは上記動作例3の処理として図２５に示したステップF301〜F310の処理と同様である。
【０１７２】
ステップF408のエンター操作によって区間デリート開始アドレスＡｄｓが決定されたら、システムコントローラ１１の処理は図２８のステップF411に進む。そしてユーザーが終点ポイント指定操作ＤＥを行なうべきポイントを探させるための動作として、その時点で確定されている区間デリート開始アドレスＡｄｓから再生動作を開始させる。
【０１７３】
以降、この図２８の処理で、終点ポイント指定操作ＤＥに応じた区間デリート終了アドレスＡｄｅの設定及びそのアドレスを終点とするＴ秒間のリハーサル再生と、必要に応じてユーザーが行なうジョグダイヤル２７の操作に応じた区間デリート終了アドレスＡｄｅの変更及びそのアドレスを終点とするＴ秒間のリハーサル再生とが行なわれ、エンター操作に応じて区間デリート終了アドレスＡｄｅが決定される。
【０１７４】
そして、入力決定された区間デリート開始アドレスＡｄｓ，区間デリート終了アドレスＡｄｅに基づいて規定される区間を削除するべくＵ−ＴＯＣデータの更新が行なわれ、区間デリートモードが終了する。
これらの処理がステップF411〜F422として実行されるが、これは上記動作例2の処理として図２４に示したステップF212〜F223の処理と同様となる。
【０１７５】
以上の図２７、図２８の処理により、図１６のように、デリートする区間の直前のＴ秒間の部分とデリートする区間のうちの最後のＴ秒間の部分をリハーサル再生の対象とする動作例4としての区間デリートが実行されることになる。
【０１７６】
（ｅ．区間デリート動作例5）
次に区間デリート動作例5を図１７のイメージ図と図２９、図３０のフローチャートで説明する。
この動作例5では、図１７に示すように、始点ポイント指定操作ＤＳにより指定入力された（もしくはジョグダイヤル２７の操作による変更された）区間デリート開始アドレスＡｄｓについては、そのアドレスからＴ秒間のリハーサル再生ＲＨ１が行なわれるようにし、一方、終点ポイント指定操作ＤＥで指定入力された（もしくはジョグダイヤル２７の操作による変更された）区間デリート終了アドレスＡｄｅについては、その時点で確定されている区間デリート開始アドレスＡｄｓから、その時点で入力されている区間デリート終了アドレスＡｄｅまでのリハーサル再生ＲＨ２が行なわれるようにするものである。
【０１７７】
ユーザーがエディットキー２９を操作することで区間デリートモードとされると、システムコントローラ１１は図２９の処理を開始する。この図２９の処理で、始点ポイント指定操作ＤＳに応じた区間デリート開始アドレスＡｄｓの設定及びそのアドレスからＴ秒間のリハーサル再生、及び必要に応じてユーザーが行なうジョグダイヤル２７の操作に応じた区間デリート開始アドレスＡｄｓの変更及びそのアドレスからＴ秒間のリハーサル再生とが行なわれ、エンター操作に応じて区間デリート開始アドレスＡｄｓが決定される。
これらの処理がステップF501〜F511として実行されるが、これは上記動作例1の処理として図２１に示したステップF101〜F111の処理と同様であるため説明を省略する。
【０１７８】
なお、この動作例5における変形例として、図１７の括弧内に示すように、始点ポイント指定操作ＤＳにより指定入力された（もしくはジョグダイヤル２７の操作による変更された）区間デリート開始アドレスＡｄｓについて、そのアドレスを終点とするＴ秒間のリハーサル再生ＲＨ１が行なわれるようにすることも考えられる。
【０１７９】
ステップF509のエンター操作によって区間デリート開始アドレスＡｄｓが決定されたら、システムコントローラ１１の処理は図３０のステップF512に進む。そしてユーザーが終点ポイント指定操作ＤＥを行なうべきポイントを探させるための動作として、その時点で確定されている区間デリート開始アドレスＡｄｓから再生動作を開始させる。
【０１８０】
ユーザーは、そのまま再生音声を聞きながら、または必要に応じてサーチ操作／ポーズ（一時停止）／再生操作等を実行していきながら、区間デリートを実行する終点としての所望のポイントを探していくことになる。このようなユーザーの操作に対応して、システムコントローラ１１はステップF513でサーチ（アクセス又は早送り又は早戻し）／再生ポーズ／再生などの動作を実行させる。
【０１８１】
ユーザーはこのように所望のポイントを探していき、区間デリートを実行する終点としてのポイントの音声が再生出力されたタイミングに合わせて指定キー３９を押す。即ち終点ポイント指定操作ＤＥを行なう。するとシステムコントローラ１１の処理はステップF514からF515に進み、終点ポイント指定操作ＤＥによって指定されたポイントが再生時間軸上でみて、確定されている区間デリート開始アドレスＡｄｓよりも後ろの時点に相当するポイントであるかどうかを判別する。そして時間的に後ろでなければ、その終点ポイント指定操作ＤＥは無効としてステップF513に戻るようにする。即ちユーザーが区間デリート開始アドレスＡｄｓとして確定されているポイントよりも再生時間的に前のポイントとなるアドレスを指定してしまった場合は、その操作を無効とし、区間デリートのための正しい終点ポイント指定操作ＤＥを待つようにする。
【０１８２】
なお、上述してきた動作例1〜4では、このような処理は付加しなかったが、もちろん動作例1〜4において、当該ステップF515と同様の処理を加えるようにしてもよい。また、動作例1〜4においてこのステップF515と同様の処理が存在しないということは、換言すれば、ユーザーはデリートしたい区間について開始ポイントと終了ポイントの順序を考えずに指定できることにもなる。つまり先に終了ポイントを指定し、次に開始ポイントを指定するという操作に対応した区間デリート処理を可能とするものである。つまり上述の動作例1〜4においては、このような順不同の操作手順も許容できるようにすることもできる。
【０１８３】
終点ポイント指定操作ＤＥが時間的に区間デリート開始アドレスＡｄｓよりも後ろの時点に相当するポイントで行なわれたら、処理はステップF516に進む。そしてその終点ポイント指定操作ＤＥで指定されたポイントのアドレスを内部ＲＡＭ１１ａにおいて区間デリート終了アドレスＡｄｅとして記憶する。
【０１８４】
次にステップF517では、区間デリート開始アドレスＡｄｓに対して光学ヘッド３のアクセスを行なわせ、そのアドレスＡｄｓからの再生動作を開始させる。
このステップF517の処理により、図１７におけるリハーサル再生ＲＨ２としての動作が開始される。つまりこの場合のリハーサル再生ＲＨ２は、確定されている区間デリート開始アドレスＡｄｓから、入力されている区間デリート終了アドレスＡｄｅまでである区間、即ち削除されることになる全区間について行なわれる。
【０１８５】
ステップF518では、１回のリハーサル再生の終了、つまりリハーサル再生が区間デリート終了アドレスＡｄｅに達したかを監視する。またステップF519,F520,F521では、それぞれジョグダイヤル２７の操作、イエスキー３０などによるエンター操作のそれぞれを監視する。
【０１８６】
リハーサル再生ＲＨ２は、ジョグダイヤル２７の操作もしくはエンター操作があるまでは繰り返し行なわれる。即ちステップF518で１回のリハーサル再生の終了が検出されると、ステップF517に戻って、再び区間デリート開始アドレスＡｄｓに対して光学ヘッド３のアクセスを行なわせ、そのアドレスＡｄｓから区間デリート終了アドレスＡｄｅまでの再生動作を再び開始させる。
【０１８７】
リハーサル再生ＲＨ２の実行中にユーザーがジョグダイヤル２７を＋方向もしくは−方向に回した場合は、処理はステップF519からF522、もしくはステップF520からF523に進み、上述してき各動作例の場合と同様に、操作に応じてＲＡＭ１１ａに記憶している区間デリート終了アドレスＡｄｅの値が更新される。
そしてステップF517に戻って、再び区間デリート開始アドレスＡｄｓに対して光学ヘッド３のアクセスを行なわせ、そのアドレスＡｄｓから区間デリート終了アドレスＡｄｅまでの再生動作を再び開始させる。つまりジョグダイヤル１７の操作により区間デリート終了アドレスＡｄｅが変更されると、リハーサル再生ＲＨ２については、その再生終了ポイントが変更されることになる。
【０１８８】
リハーサル再生音声を聞いてユーザーが終点ポイント指定操作ＤＥで指定したポイントが適切であると判断したら、ユーザーはエンター操作を行なうことになる。このときシステムコントローラ１１の処理はステップF521からF524に進み、その時点でＲＡＭ１１ａに保持され、入力決定された区間デリート開始アドレスＡｄｓ，区間デリート終了アドレスＡｄｅに基づいて規定される区間を削除するべくＵ−ＴＯＣデータの更新を行なう。この更新処理はまずバッファメモリ１３に保持されているＵ−ＴＯＣデータに対して行ない、その後、そのＵ−ＴＯＣデータを記録データとして転送し、ディスク１のＵ−ＴＯＣエリアの更新を行なうことになる。そして、ステップF524の更新処理を終えたら、区間デリートが完了したことになり、区間デリートモードを終了する。
【０１８９】
以上の処理により、図１７のように、デリートする区間の終了ポイントを指定入力している時点では、そのデリート区間の全部をリハーサル再生の対象とする動作例5として区間デリートが実行されることになる。
【０１９０】
（ｆ．区間デリート動作例6）
次に区間デリート動作例6を図１８のイメージ図と図３１、図３２のフローチャートで説明する。
この動作例6では、図１８に示すように、始点ポイント指定操作ＤＳにより指定入力された（もしくはジョグダイヤル２７の操作による変更された）区間デリート開始アドレスＡｄｓについては、そのアドレスからＴ秒間のリハーサル再生ＲＨ１が行なわれるようにし、一方、終点ポイント指定操作ＤＥで指定入力された（もしくはジョグダイヤル２７の操作による変更された）区間デリート終了アドレスＡｄｅについては、その時点で確定されている区間デリート開始アドレスＡｄｓから、その時点で入力されている区間デリート終了アドレスＡｄｅまでのリハーサル再生ＲＨ２が行なわれるようにする。ただしリハーサル再生ＲＨ２については、例えば区間デリート開始アドレスＡｄｓからＴ秒分と、区間デリート終了アドレスＡｄｅまでのＴ秒分という部分のみとする。
すなわち、上記動作例5ではリハーサル再生ＲＨ２はデリートされることになる全区間を再生対象とするものとしたが、この動作例6では、デリートされることになる区間のうち、最初の部分と最後の部分のみを再生対象とするものである。
【０１９１】
ユーザーがエディットキー２９を操作することで区間デリートモードとされると、システムコントローラ１１は図３１の処理を開始する。この図３１の処理で、始点ポイント指定操作ＤＳに応じた区間デリート開始アドレスＡｄｓの設定及びそのアドレスからＴ秒間のリハーサル再生、及び必要に応じてユーザーが行なうジョグダイヤル２７の操作に応じた区間デリート開始アドレスＡｄｓの変更及びそのアドレスからＴ秒間のリハーサル再生とが行なわれ、エンター操作に応じて区間デリート開始アドレスＡｄｓが決定される。
これらの処理がステップF601〜F611として実行されるが、これは上記動作例5の処理として図２９に示したステップF501〜F511の処理と同様である。
【０１９２】
なお、この動作例6における変形例として、図１８の括弧内に示すように、始点ポイント指定操作ＤＳにより指定入力された（もしくはジョグダイヤル２７の操作による変更された）区間デリート開始アドレスＡｄｓについて、そのアドレスを終点とするＴ秒間のリハーサル再生ＲＨ１が行なわれるようにすることも考えられる。
【０１９３】
ステップF609のエンター操作によって区間デリート開始アドレスＡｄｓが決定されたら、システムコントローラ１１の処理は図３２のステップF612に進む。そしてユーザーが終点ポイント指定操作ＤＥを行なうべきポイントを探させるための動作として、その時点で確定されている区間デリート開始アドレスＡｄｓから再生動作を開始させる。
またユーザーのサーチ操作／ポーズ（一時停止）／再生操作等に対応して、システムコントローラ１１はステップF613でサーチ（アクセス又は早送り又は早戻し）／再生ポーズ／再生などの動作を実行させる。
【０１９４】
ユーザーはこのように所望のポイントを探していき、区間デリートを実行する終点としてのポイントの音声が再生出力されたタイミングに合わせて指定キー３９を押す。即ち終点ポイント指定操作ＤＥを行なう。するとシステムコントローラ１１の処理はステップF614からF615に進み、終点ポイント指定操作ＤＥによって指定されたポイントが再生時間軸上でみて、確定されている区間デリート開始アドレスＡｄｓよりも後ろの時点に相当するポイントであるかどうかを判別する。そして時間的に後ろでなければその終点ポイント指定操作ＤＥは無効としてステップF513に戻る。以上は上記動作例5のステップF515と同様の処理である。
【０１９５】
終点ポイント指定操作ＤＥが時間的に区間デリート開始アドレスＡｄｓよりも後ろの時点に相当するポイントで行なわれたら、処理はステップF616に進む。そしてその終点ポイント指定操作ＤＥで指定されたポイントのアドレスを内部ＲＡＭ１１ａにおいて区間デリート終了アドレスＡｄｅとして記憶する。
【０１９６】
次にステップF617では、区間デリート開始アドレスＡｄｓに対して光学ヘッド３のアクセスを行なわせ、そのアドレスＡｄｓからの再生動作を開始させる。
このステップF617の処理により、図１８におけるリハーサル再生ＲＨ２としての動作が開始される。
【０１９７】
ステップF618ではリハーサル再生ＲＨ２が区間デリート開始アドレスＡｄｓから再生時間としてＴ秒経過したアドレス（Ａｄｓ＋Ａｄｔ）に達したか否かを監視する。またＴ秒経過したアドレス（Ａｄｓ＋Ａｄｔ）に達していない時点でも、ステップF620,F621 でジョグダイヤル２７の操作を監視し、またステップF622でエンター操作を監視する。
この監視ループはステップF626で肯定結果が得られている間、継続される。ステップF626のアクセス前とは、図１８に破線で示すアクセス、即ちＴ秒経過したアドレス（Ａｄｓ＋Ａｄｔ）に達した後に行なわれるアクセスの実行前か否かということである。
【０１９８】
この監視ループにおいてユーザーがジョグダイヤル２７を＋方向もしくは−方向に回した場合は、処理はステップF620からF623、もしくはステップF621からF624に進み、上述してき各動作例の場合と同様に、操作に応じてＲＡＭ１１ａに記憶している区間デリート終了アドレスＡｄｅの値が更新される。
そしてステップF617に戻って、再び区間デリート開始アドレスＡｄｓに対して光学ヘッド３のアクセスを行なわせ、そのアドレスＡｄｓからのリハーサル再生ＲＨ２を再び開始させる。つまりジョグダイヤル１７の操作により区間デリート終了アドレスＡｄｅが変更されると、リハーサル再生ＲＨ２については、その再生終了ポイントが変更されることになる。
【０１９９】
ステップF618で区間デリート開始アドレスＡｄｓよりＴ秒経過したアドレス（Ａｄｓ＋Ａｄｔ）に達したことが判別されたら、ステップF627に進み、光学ヘッド３の読出位置を、区間デリート終了アドレスＡｄｅよりも再生時間的にＴ秒前のデータが記録されているアドレス（Ａｄｅ−Ａｄｔ）にアクセスさせ、その位置から再生出力を開始させる。
【０２００】
そしてステップF619ではリハーサル再生ＲＨ２が区間デリート終了アドレスＡｄｅに達したか否かを監視する。またアドレスＡｄｅに達していない時点では、ステップF620,F621 でジョグダイヤル２７の操作を監視し、またステップF622でエンター操作を監視する。
この監視ループはステップF626で否定結果が得られている間、継続されることになる。
【０２０１】
リハーサル再生音声を聞いてユーザーが終点ポイント指定操作ＤＥで指定したポイントが適切であると判断したら、ユーザーはエンター操作を行なうことになる。このときシステムコントローラ１１の処理はステップF622からF625に進み、その時点でＲＡＭ１１ａに保持され、入力決定された区間デリート開始アドレスＡｄｓ，区間デリート終了アドレスＡｄｅに基づいて規定される区間を削除するべくＵ−ＴＯＣデータの更新を行なう。そしてその更新処理を終えたら、区間デリートが完了したことになり、区間デリートモードを終了する。
【０２０２】
以上の処理により、図１８のように、デリートする区間の終了ポイントを指定入力している時点では、そのデリートされることになる区間のうちの最初のＴ秒と最後のＴ秒をリハーサル再生の対象とする動作例6として区間デリートが実行されることになる。
【０２０３】
（ｇ．区間デリート動作例7）
次に区間デリート動作例7を図１９のイメージ図と図３３、図３４のフローチャートで説明する。
この動作例7では、図１９に示すように、始点ポイント指定操作ＤＳにより指定入力された（もしくはジョグダイヤル２７の操作による変更された）区間デリート開始アドレスＡｄｓについては、そのアドレスからＴ秒間のリハーサル再生ＲＨ１が行なわれるようにし、一方、終点ポイント指定操作ＤＥで指定入力された（もしくはジョグダイヤル２７の操作による変更された）区間デリート終了アドレスＡｄｅについては、その時点で確定されている区間デリート開始アドレスＡｄｓまでのＴ秒間と、その時点で入力されている区間デリート終了アドレスＡｄｅからのＴ秒間のリハーサル再生ＲＨ２が連続して行なわれるようにするものである。
【０２０４】
ユーザーがエディットキー２９を操作することで区間デリートモードとされると、システムコントローラ１１は図３３の処理を開始する。この図３３の処理で、始点ポイント指定操作ＤＳに応じた区間デリート開始アドレスＡｄｓの設定及びそのアドレスからＴ秒間のリハーサル再生、及び必要に応じてユーザーが行なうジョグダイヤル２７の操作に応じた区間デリート開始アドレスＡｄｓの変更及びそのアドレスからＴ秒間のリハーサル再生とが行なわれ、エンター操作に応じて区間デリート開始アドレスＡｄｓが決定される。
これらの処理がステップF701〜F711として実行されるが、これは上記動作例1の処理として図２１に示したステップF101〜F111の処理と同様である。
【０２０５】
リハーサル再生ＲＨ１での再生音声を聞いてユーザーが始点ポイント指定操作ＤＳで指定したポイントが適切であると判断したら、ユーザーはエンター操作を行なうことになる。このときシステムコントローラ１１の処理はステップF709から図３４のステップF712に進む。そしてユーザーが終点ポイント指定操作ＤＥを行なうべきポイントを探させるための動作として、その時点で確定されている区間デリート開始アドレスＡｄｓから再生動作を開始させる。
【０２０６】
そしてステップF713でユーザーのサーチ操作／ポーズ（一時停止）／再生操作等に対応して、システムコントローラ１１はステップF714でサーチ（アクセス又は早送り又は早戻し）／再生ポーズ／再生などの動作を実行させ、またステップF702での終点ポイント指定操作ＤＥを監視する。
そして終点ポイント指定操作ＤＥによって指定されたポイントが再生時間軸上でみて、確定されている区間デリート開始アドレスＡｄｓよりも後ろの時点に相当するポイントであれば、ステップF715からF716に進み、その終点ポイント指定操作ＤＥで指定されたポイントのアドレスを内部ＲＡＭ１１ａにおいて区間デリート終了アドレスＡｄｅとして記憶する。
【０２０７】
次にステップF717では、区間デリート開始アドレスＡｄｓよりも再生時間軸上でＴ秒前となるアドレス（Ａｄｓ−Ａｄｔ）を算出し、そのアドレス（Ａｄｓ−Ａｄｔ）に対して光学ヘッド３のアクセスを行なわせ、そのアドレス（Ａｄｓ−Ａｄｔ）からの再生動作を開始させる。
このステップF717の処理により、図１９におけるリハーサル再生ＲＨ２としての動作が開始される。
【０２０８】
ステップF717の時点からはリハーサル再生ＲＨ２として、ディスク１からの高速レートでのデータ読出及びその読出データのバッファメモリ１３への蓄積、さらには低速レートでのバッファメモリ１３からの読出及び再生音声出力動作が開始されることになるが、ステップF718では、ディスク１からのデータ読出及びその読出データのバッファメモリ１３への蓄積動作が、区間デリート開始アドレスＡｄｓにまで達したか否かを監視する。
そして区間デリート開始アドレスＡｄｓにまでの音声データがバッファメモリ１３へ書き込まれた時点でステップF719に進み、光学ヘッド３を区間デリート終了アドレスＡｄｅまでアクセスさせる。そしてアドレスＡｄｅからのデータ読出／バッファメモリ１３への書込を開始させる。
【０２０９】
ディスク１からバッファメモリ１３までのデータ転送レートとバッファメモリ１３から音声出力段階までのデータ転送レートの差により、ステップF719の処理を終えた時点では、まだ実際の再生音声は区間デリート開始アドレスＡｄｓの音声データにまでは達していない。
【０２１０】
ところが、すでに区間デリート終了アドレスＡｄｅからの音声データはステップF719以降、すでにディスク１から読み出されて区間デリート開始アドレスＡｄｓの音声データに続く音声データとしてバッファメモリ１３に蓄積されていっている。従ってバッファメモリ１３からの読出及び再生出力がそのまま通常通り継続されていくことで、区間デリート開始アドレスＡｄｓの音声データによる音声に続いて、区間デリート終了アドレスＡｄｅからの音声データによる音声がとぎれなく出力されることになる。
【０２１１】
再生音声が区間デリート開始アドレスＡｄｓの音声データによる音声となった時点ではステップF720からF721に進み、Ｔ秒間をカウントするタイマＴをセット／スタートさせる。
そしてステップF722でタイマＴのタイムオーバーを監視し、またステップF723,F724 でジョグダイヤル２７の操作を監視し、さらにステップF725でエンター操作を監視する。
【０２１２】
ステップF722でタイマＴのタイムオーバーが検出されたら、ステップF717に戻って区間デリート開始アドレスＡｄｓに対してＴ秒前となるアドレス（Ａｄｓ−Ａｄｔ）からのリハーサル再生ＲＨ２としての動作を再度開始させる。
【０２１３】
リハーサル再生ＲＨ２の実行中にユーザーがジョグダイヤル２７を＋方向もしくは−方向に回した場合は、処理はステップF723からF726、もしくはステップF724からF727に進み、上述してき各動作例の場合と同様に、操作に応じてＲＡＭ１１ａに記憶している区間デリート終了アドレスＡｄｅの値が更新される。
【０２１４】
そしてステップF717に戻って、再び区間デリート開始アドレスＡｄｓのＴ秒前となるアドレス（Ａｄｓ−Ａｄｔ）に対して光学ヘッド３のアクセスを行なわせ、そのアドレスＡｄｓからのリハーサル再生ＲＨ２を再び開始させる。
このようにジョグダイヤル１７の操作により区間デリート終了アドレスＡｄｅが変更されると、リハーサル再生ＲＨ２については、ステップF719でのアクセスポイントが変更されることになる。
【０２１５】
リハーサル再生音声を聞いてユーザーが終点ポイント指定操作ＤＥで指定したポイントが適切であると判断したら、ユーザーはエンター操作を行なうことになる。このときシステムコントローラ１１の処理はステップF725からF728に進み、その時点でＲＡＭ１１ａに保持され、入力決定された区間デリート開始アドレスＡｄｓ，区間デリート終了アドレスＡｄｅに基づいて規定される区間を削除するべくＵ−ＴＯＣデータの更新を行なう。そしてその更新処理を終えたら、区間デリートが完了したことになり、区間デリートモードを終了する。
【０２１６】
以上の処理により、図１９のように、デリートする区間の終了ポイントを指定入力している時点では、そのデリートされることになる区間の直前のＴ秒部分と直後のＴ秒部分がリハーサル再生の対象とされ、しかも、これらがとぎれなく継続して再生される動作例7として区間デリートが実行されることになる。
つまりこの場合は、リハーサル再生ＲＨ２は、区間デリート編集を実行した後における再生状態をユーザーに提示することになり、ユーザーは区間デリート編集実行前において、区間デリート編集実行後の状態を確認できる。
【０２１７】
（ｈ．区間デリート動作例8）
次に区間デリート動作例8を図２０のイメージ図と図３５、図３６のフローチャートで説明する。
この動作例8では、図２０に示すように、始点ポイント指定操作ＤＳにより指定入力された（もしくはジョグダイヤル２７の操作による変更された）区間デリート開始アドレスＡｄｓについては、そのアドレスを終点とするＴ秒間のリハーサル再生ＲＨ１が行なわれるようにし、一方、終点ポイント指定操作ＤＥで指定入力された（もしくはジョグダイヤル２７の操作による変更された）区間デリート終了アドレスＡｄｅについては、その時点で確定されている区間デリート開始アドレスＡｄｓまでのＴ秒間と、その時点で入力されている区間デリート終了アドレスＡｄｅからのＴ秒間のリハーサル再生ＲＨ２が連続して行なわれるようにするものである。
【０２１８】
ユーザーがエディットキー２９を操作することで区間デリートモードとされると、システムコントローラ１１は図３５の処理を開始する。この図３５の処理で、始点ポイント指定操作ＤＳに応じた区間デリート開始アドレスＡｄｓの設定及びそのアドレスを終点としたＴ秒間のリハーサル再生が行なわれ、また必要に応じてユーザーが行なうジョグダイヤル２７の操作に応じた区間デリート開始アドレスＡｄｓの変更及びそのアドレスを終点としたＴ秒間のリハーサル再生とが行なわれる。そしてエンター操作に応じて区間デリート開始アドレスＡｄｓが決定される。
これらの処理がステップF801〜F810として実行されるが、これは上記動作例3の処理として図２５に示したステップF301〜F310の処理と同様である。
【０２１９】
ステップF808のエンター操作によって区間デリート開始アドレスＡｄｓが決定されたら、システムコントローラ１１の処理は図３６のステップF811に進む。そしてユーザーが終点ポイント指定操作ＤＥを行なうべきポイントを探させるための動作として、その時点で確定されている区間デリート開始アドレスＡｄｓから再生動作を開始させる。
【０２２０】
そして以降の処理として、ユーザーのサーチ操作／ポーズ（一時停止）／再生操作等経の対応(F812)、終点ポイント指定操作ＤＥの監視(F813)を行なう。
終点ポイント指定操作ＤＥによって指定されたポイントが再生時間軸上でみて、確定されている区間デリート開始アドレスＡｄｓよりも後ろの時点に相当するポイントであれば、ステップF814からF815に進み、その終点ポイント指定操作ＤＥで指定されたポイントのアドレスを内部ＲＡＭ１１ａにおいて区間デリート終了アドレスＡｄｅとして記憶する。
【０２２１】
その後ステップF816〜F827において、デリートされることになる区間の直前のＴ秒部分と直後のＴ秒部分が連続して再生出力されるリハーサル再生ＲＨ２が行なわれ、またジョグダイヤル２７の操作に応じて区間デリート終了アドレスＡｄｅが変更されるとともに、それに応じたリハーサル再生ＲＨ２が行なわれていく。そしてユーザーがエンター操作を行なうことに応じて、その時点でＲＡＭ１１ａに保持され、入力決定された区間デリート開始アドレスＡｄｓ，区間デリート終了アドレスＡｄｅに基づいて規定される区間を削除するべくＵ−ＴＯＣデータの更新が行なわれる。そしてその更新処理を終えたら、区間デリートが完了したことになり、区間デリートモードを終了する。以上の処理は上記動作例7として図３４に示したステップF712〜F728の処理と同様である。
【０２２２】
以上の図３５、図３６の処理により、図２０のように、デリートする区間の終了ポイントを指定入力している時点では、そのデリートされることになる区間の直前のＴ秒部分と直後のＴ秒部分がリハーサル再生の対象とされ、しかも、これらがとぎれなく継続して再生される動作例7として区間デリートが実行されることになる。
つまりこの場合もリハーサル再生ＲＨ２は、区間デリート編集を実行した後における再生状態をユーザーに提示することになり、ユーザーは区間デリート編集実行前において、区間デリート編集実行後の状態を確認できる。
【０２２３】
＜８．他の区間デリート処理例＞
ところで以上の説明では、区間デリート処理は或るトラックにおける一部を削除する動作モードとして説明してきたが、上記各動作例における処理により、複数トラックにまたがった区間を削除することもできる。
図３７にそのような区間デリート処理の様子を示す。
【０２２４】
図２７（ａ）のように第１トラックＭ1 〜第４トラックＭ4 が記録されている場合に、ユーザーが第２トラックＭ2 の途中で始点ポイント指定操作ＤＳを行ない、また第４トラックＭ4 の途中で終点ポイント指定操作ＤＥを行なったとする。このような場合、再生時間軸で見て始点ポイント指定操作ＤＳで指定されたポイントから終点ポイント指定操作ＤＥで指定されたポイントまでを削除するようにすればよい。
即ち図３７（ｂ）のように第２トラックＭ2 の後半部分、第３トラックＭ3 、第４トラックＭ4 の途中までの部分としての区間を削除し、フリーエリアＦ1 として扱われるようにＵ−ＴＯＣセクター０のデータを更新する。
【０２２５】
このような複数トラックにまたがった区間デリートも可能とすることで、ユーザーにとってより編集作業の効率化が実現されることになる。
【０２２６】
また図３８も複数トラックにまたがった区間デリート処理の様子を示している。この場合、図３８（ａ）のように、ディスク上では物理的には、第１トラックＭ1 、第３トラックＭ3 、第５トラックＭ5 、第２トラックＭ2 、第４トラックＭ4 という順序で記録が行なわれている。もちろん再生は第１トラックＭ1 、第２トラックＭ2 、第３トラックＭ3 、第４トラックＭ4 、第５トラックＭ5 の順序で行なわれる。
【０２２７】
このような場合に、ユーザーが第２トラックＭ2 の途中で始点ポイント指定操作ＤＳを行ない、また第３トラックＭ34の途中で終点ポイント指定操作ＤＥを行なったとする。すると、再生時間軸で見て始点ポイント指定操作ＤＳで指定されたポイントから終点ポイント指定操作ＤＥで指定されたポイントまでを削除するようにすればよいため、図３８（ｂ）に斜線を付した部分である、第２トラックＭ2 の後半部分と、第３トラックＭ3 の前半部分がそれぞれ削除され、フリーエリアＦ1 ，Ｆ2 として扱われるようにＵ−ＴＯＣセクター０のデータが更新されることになる。
【０２２８】
なお実施の形態としてはミニディスクシステムにおいて本発明を適用した例をあげたが、本発明は音声データや映像データなど、時間的に連続するデータが記録されると共に、そのデータの記録／再生動作を管理するための管理情報が記録される各種の記録媒体システムに対する編集装置として実現可能である。
【図面の簡単な説明】
【０２２９】
【図１】本発明の実施の形態の記録再生装置の外観図である。
【図２】実施の形態の記録再生装置のブロック図である。
【図３】ミニディスクのクラスタフォーマットの説明図である。
【図４】ミニディスクのＵ−ＴＯＣセクター０の説明図である。
【図５】ミニディスクのＵ−ＴＯＣセクター０のリンク形態の説明図である。
【図６】ミニディスクのＵ−ＴＯＣセクター１の説明図である。
【図７】ミニディスクのＵ−ＴＯＣセクター２の説明図である。
【図８】実施の形態の区間デリート処理の説明図である。
【図９】実施の形態のＵ−ＴＯＣセクター０の管理例の説明図である。
【図１０】実施の形態の区間デリート処理後のＵ−ＴＯＣセクター０の管理例の説明図である。
【図１１】実施の形態の区間デリート処理時のリハーサル再生動作の説明図である。
【図１２】実施の形態の区間デリート処理時の他のリハーサル再生動作の説明図である。
【図１３】実施の形態の区間デリート動作例1の説明図である。
【図１４】実施の形態の区間デリート動作例2の説明図である。
【図１５】実施の形態の区間デリート動作例3の説明図である。
【図１６】実施の形態の区間デリート動作例4の説明図である。
【図１７】実施の形態の区間デリート動作例5の説明図である。
【図１８】実施の形態の区間デリート動作例6の説明図である。
【図１９】実施の形態の区間デリート動作例7の説明図である。
【図２０】実施の形態の区間デリート動作例8の説明図である。
【図２１】実施の形態の区間デリート動作例1のフローチャートである。
【図２２】実施の形態の区間デリート動作例1のフローチャートである。
【図２３】実施の形態の区間デリート動作例2のフローチャートである。
【図２４】実施の形態の区間デリート動作例2のフローチャートである。
【図２５】実施の形態の区間デリート動作例3のフローチャートである。
【図２６】実施の形態の区間デリート動作例3のフローチャートである。
【図２７】実施の形態の区間デリート動作例4のフローチャートである。
【図２８】実施の形態の区間デリート動作例4のフローチャートである。
【図２９】実施の形態の区間デリート動作例5のフローチャートである。
【図３０】実施の形態の区間デリート動作例5のフローチャートである。
【図３１】実施の形態の区間デリート動作例6のフローチャートである。
【図３２】実施の形態の区間デリート動作例6のフローチャートである。
【図３３】実施の形態の区間デリート動作例7のフローチャートである。
【図３４】実施の形態の区間デリート動作例7のフローチャートである。
【図３５】実施の形態の区間デリート動作例8のフローチャートである。
【図３６】実施の形態の区間デリート動作例8のフローチャートである。
【図３７】実施の形態の他の区間デリート動作例の説明図である。
【図３８】実施の形態の他の区間デリート動作例の説明図である。
【図３９】従来の部分削除のための編集手順の説明図である。
【符号の説明】
【０２３０】
１  ディスク、３  光学ヘッド、６ａ  磁気ヘッド、８  エンコーダ／デコーダ部、１１  システムコントローラ、１１ａ  ＲＡＭ、１２  メモリコントローラ、１３  バッファメモリ、１４  エンコーダ／デコーダ部、１９  操作部、２０  表示部、２７  ジョグダイヤル、２９  エディットキー、３１  イエスキー、３９  指定キー
【図１】
2005339788.tif 000003
【図２】
2005339788.tif 000004
【図３】
2005339788.tif 000005
【図４】
2005339788.tif 000006
【図５】
2005339788.tif 000007
【図６】
2005339788.tif 000008
【図７】
2005339788.tif 000009
【図８】
2005339788.tif 000010
【図９】
2005339788.tif 000011
【図１０】
2005339788.tif 000012
【図１１】
2005339788.tif 000013
【図１２】
2005339788.tif 000014
【図１３】
2005339788.tif 000015
【図１４】
2005339788.tif 000016
【図１５】
2005339788.tif 000017
【図１６】
2005339788.tif 000018
【図１７】
2005339788.tif 000019
【図１８】
2005339788.tif 000020
【図１９】
2005339788.tif 000021
【図２０】
2005339788.tif 000022
【図２１】
2005339788.tif 000023
【図２２】
2005339788.tif 000024
【図２３】
2005339788.tif 000025
【図２４】
2005339788.tif 000026
【図２５】
2005339788.tif 000027
【図２６】
2005339788.tif 000028
【図２７】
2005339788.tif 000029
【図２８】
2005339788.tif 000030
【図２９】
2005339788.tif 000031
【図３０】
2005339788.tif 000032
【図３１】
2005339788.tif 000033
【図３２】
2005339788.tif 000034
【図３３】
2005339788.tif 000035
【図３４】
2005339788.tif 000036
【図３５】
2005339788.tif 000037
【図３６】
2005339788.tif 000038
【図３７】
2005339788.tif 000039
【図３８】
2005339788.tif 000040
【図３９】
2005339788.tif 000041